(57)【要約】【課題】環境負荷を抑制する空調システムを提供する。【解決手段】空調システム１０は、ファンユニット２０と、ＧＦユニット３０と、ＨＰユニット４０と、コントローラ６０とを備える。ＧＦユニット３０は熱交換部３１を含む。ＨＰユニット４０は利用側熱交換器４２を含む。ファンユニット２０は、熱交換部３１及び利用側熱交換器４２を通過する空気流ＡＦ１を生成する。コントローラ６０は、ＧＦユニット３０及びＨＰユニット４０の動作を制御する。コントローラ６０は、暖房運転時にはＧＦユニット３０及びＨＰユニット４０のいずれかを熱源機として稼動させ、熱源機の運転容量を可変に調整する容量指令を生成する。コントローラ６０は、容量指令に含まれる運転容量のレベルが所定の数値範囲内にある状態が所定時間継続する場合には、熱源機をＧＦユニット３０及びＨＰユニット４０のうち一方から他方に切り換える。【選択図】図７
2015145764.tif 000002
【特許請求の範囲】
【請求項１】
冷媒の放熱器（４２）を含むヒートポンプユニット（４０）と、
通過する空気を加熱する加熱部（３１）を含むガスファーネスユニット（３０）と、
前記放熱器及び前記加熱部を通過する空気流（ＡＦ１）を生成する送風機（２０）と、
前記ヒートポンプユニット、前記ガスファーネスユニット及び前記送風機の動作を制御するコントローラ（６０）と、
を備え、
前記コントローラは、
前記ヒートポンプユニット及び前記ガスファーネスユニットのうちいずれかを熱源機として稼動させ、
前記熱源機の運転容量を可変に調整する容量指令を生成し、
前記容量指令において指定される運転容量のレベルが所定の数値範囲内にある状態が所定時間（Ｐ１、Ｐ２）継続する場合には、前記熱源機を前記ヒートポンプユニット及び前記ガスファーネスユニットのうち一方から他方に切り換える切換制御を実行する、
空調システム（１０）。
【請求項２】
前記コントローラは、前記熱源機として前記ガスファーネスユニットが稼動している場合、第１期間（Ｐ１）あたりにおける前記ガスファーネスユニットの発停の回数が第１閾値（ΔＴｈ１）以上である第１状態にある時には、前記熱源機を前記ヒートポンプユニットに切り換える前記切換制御を実行する、
請求項１に記載の空調システム。
【請求項３】
前記第１状態は、第２期間（Ｐ１）あたりにおける前記ガスファーネスユニットが稼動しているデューティ比の積算値（Ｉｖ１）が第２閾値（ΔＴｈ２）未満の状態である、
請求項２に記載の空調システム。
【請求項４】
前記コントローラは、前記熱源機として前記ヒートポンプユニットが稼動している場合、第３期間（Ｐ２）あたりの部分負荷率（Ａｖ１）が第３閾値（ΔＴｈ３）以上の時には、前記熱源機を前記ガスファーネスユニットに切り換える前記切換制御を実行する、
請求項１から３のいずれか１項に記載の空調システム。
【請求項５】
前記コントローラは、
前記ガスファーネスユニットを前記熱源機として稼動させた場合の第１コスト（Ｇｃ）と、前記ヒートポンプユニットを前記熱源機として稼動させた場合の第２コスト（Ｈｃ）と、をそれぞれ算出し、
前記熱源機として前記ガスファーネスユニットが稼動している場合において前記第１コストが前記第２コストよりも第１基準値（Ｓｖ１）を超える割合で高い時には、前記熱源機を前記ヒートポンプユニットに切り換え、前記熱源機として前記ヒートポンプユニットが稼動している場合において前記第２コストが前記第１コストよりも第２基準値（Ｓｖ２）を超える割合で高い時には、前記熱源機を前記ガスファーネスユニットに切り換える省コスト制御を実行し、
前記省コスト制御よりも前記切換制御を優先して実行する、
請求項１から４のいずれか１項に記載の空調システム。
【請求項６】
前記コントローラは、起動時から第４期間（Ｓｔ）を経過するまでの間及び前記切換制御を実行してから第５期間（Ｓｔ）を経過するまでの間のうち一方又は双方において、前記切換制御の実行を禁止する、
請求項１から４のいずれか１項に記載の空調システム。
【請求項７】
前記コントローラは、起動時から第４期間（Ｓｔ）を経過するまでの間及び前記切換制御又は前記省コスト制御を実行してから第５期間（Ｓｔ）を経過するまでの間のうち一方又は双方において、前記切換制御及び前記省コスト制御のうち一方又は双方の実行を禁止する、
請求項５に記載の空調システム。
【発明の詳細な説明】
【技術分野】
【０００１】
本発明は、ガスファーネスユニットとヒートポンプユニットとを備える空調システムに関する。
【背景技術】
【０００２】
従来、ガスファーネスユニットとヒートポンプユニットとを備え、対象空間の空気調和を実現する空調システムがある。例えば、特許文献１（特開昭６４−５４１６０号公報）には、ガスファーネスユニットとヒートポンプユニットとを備え、所定条件を満たすことを契機としてガスファーネスユニット及びヒートポンプユニットのいずれを熱源機として稼動させるかを切り換える空調システムが開示されている。
【発明の概要】
【発明が解決しようとする課題】
【０００３】
しかし、特許文献１に開示される空調装置では、熱源機を切り換える制御ロジックにおいて、ガスファーネスユニット及びヒートポンプユニットの運転容量を可変に調整できる場合については特に考慮されておらず、状況によってはＣＯ2排出量等の環境負荷が増大すると想定される。
【０００４】
そこで本発明の課題は、環境負荷を抑制する空調システムを提供することである。
【課題を解決するための手段】
【０００５】
本発明の第１観点に係る空調システムは、ヒートポンプユニットと、ガスファーネスユニットと、送風機と、コントローラと、を備える。ヒートポンプユニットは、冷媒の放熱器を含む。ガスファーネスユニットは、加熱部を含む。加熱部は、通過する空気を加熱する。送風機は、放熱器及び加熱部を通過する空気流を生成する。コントローラは、ヒートポンプユニット、ガスファーネスユニット及び送風機の動作を制御する。コントローラは、ヒートポンプユニット及びガスファーネスユニットのうちいずれかを熱源機として稼動させる。コントローラは、熱源機の運転容量を可変に調整する容量指令を生成する。コントローラは、容量指令において指定される運転容量のレベルが所定の数値範囲内にある状態が所定時間継続する場合には、切換制御を実行する。コントローラは、切換制御において、熱源機をヒートポンプユニット及びガスファーネスユニットのうち一方から他方に切り換える。
【０００６】
本発明の第１観点に係る空調システムでは、コントローラは、熱源機の運転容量を可変に調整する容量指令を生成し、容量指令において指定される運転容量のレベルが所定の数値範囲内にある状態が所定時間継続する場合には、熱源機をヒートポンプユニット及びガスファーネスユニットのうち一方から他方に切り換える。これにより、ガスファーネスユニット及びヒートポンプユニットのいずれかを熱源機として稼動させ、状況に応じて熱源機の運転容量を可変に調整する空調システムにおいて、環境負荷が抑制される。
【０００７】
すなわち、本発明の第１観点に係る空調システムでは、熱源機を切り換える制御ロジックにおいて、容量指令に含まれる運転容量のレベルをパラメータとして採用し、当該パラメータに基づいて環境負荷の増加が予測される時には熱源機を切り換える。この結果、ヒートポンプユニット及びガスファーネスユニットのうち駆動時における環境負荷の低いほうが熱源機として稼動する。よって、環境負荷が抑制される。
【０００８】
なお、環境負荷は、例えば暖房効果を得るために熱源機が使用したエネルギーに由来するCO2発生量を目安としてkg-CO2等の単位で表される。具体的には、電力の場合は電力使用量に電力供給元より提供されるCO2排出係数を乗じたものが環境負荷であり、ヒートポンプユニットでは成績係数（ＣＯＰ、Coefficient of Performance）が高いほど環境負荷は抑制される。また、ガスの場合は、ガス使用量あるいは発生熱量にガス供給元より提供されるCO2排出係数を乗じたものが環境負荷であり、ガスファーネスの燃焼効率が高いほど環境負荷は抑制される。なお、ガスファーネスユニット駆動時における環境負荷は、電装品やファン等の電力消費に由来するCO2発生量についても考慮する必要がある。
【０００９】
本発明の第２観点に係る空調システムは、第１観点に係る空調システムであって、コントローラは、熱源機としてガスファーネスユニットが稼動している場合において、第１状態にある時には、熱源機をヒートポンプユニットに切り換える切換制御を実行する。第１状態は、第１期間あたりにおけるガスファーネスユニットの発停の回数が第１閾値以上となる状態である。
【００１０】
本発明の第２観点に係る空調システムでは、コントローラは、熱源機としてガスファーネスユニットが稼動している場合において、第１期間あたりにおけるガスファーネスユニットの発停の回数が第１閾値以上となる第１状態にある時には、熱源機をヒートポンプユニットに切り換える。これにより、環境負荷の増加が懸念される状況下において、環境負荷が精度よく抑制される。
【００１１】
すなわち、熱源機としてガスファーネスユニットが稼動している場合において、所定時間あたりにおけるガスファーネスユニットの発停の回数が所定回数を超える第１状態にある時には、熱負荷処理能力の低下に伴い環境負荷の増加が予測される。本発明の第２観点に係る空調システムでは、係る第１状態となった時には、熱源機がヒートポンプユニットに切り換えられる。よって、環境負荷が精度よく抑制される。
【００１２】
本発明の第３観点に係る空調システムは、第２観点に係る空調システムであって、第１状態は、第２期間あたりにおけるガスファーネスユニットが稼動しているデューティ比の積算値が第２閾値未満の状態である。
【００１３】
本発明の第３観点に係る空調システムでは、第１状態は、第２期間あたりにおけるガスファーネスユニットが稼動しているデューティ比の積算値が第２閾値未満の状態である。これにより、環境負荷の増加が懸念される状況下において、環境負荷が精度よく抑制される。
【００１４】
すなわち、熱源機としてガスファーネスユニットが稼動している場合において、所定時間あたりにおけるガスファーネスユニットが稼動しているデューティ比の積算値が所定値を下回る状態にある時は、当該所定時間あたりにおけるガスファーネスユニットの発停の回数が所定回数を超えて環境負荷が増加することが予測される。本発明の第３観点に係る空調システムでは、係る第１状態となった時には、熱源機がヒートポンプユニットに切り換えられる。よって、環境負荷が精度よく抑制される。
【００１５】
本発明の第４観点に係る空調システムは、第１観点から第３観点のいずれかに係る空調システムであって、コントローラは、熱源機としてヒートポンプユニットが稼動している場合において、第３期間あたりの部分負荷率が第３閾値以上の時には、熱源機をガスファーネスユニットに切り換える切換制御を実行する。
【００１６】
本発明の第４観点に係る空調システムでは、コントローラは、熱源機としてヒートポンプユニットが稼動している場合において、第３期間あたりの部分負荷率が第３閾値以上の時には、熱源機をガスファーネスユニットに切り換える切換制御を実行する。これにより、環境負荷の増加が懸念される状況下において、環境負荷が精度よく抑制される。
【００１７】
すなわち、熱源機としてヒートポンプユニットが稼動している場合において、所定時間あたりにおける部分負荷率が所定値以上の時には、熱負荷処理能力の低下に伴い環境負荷の増加が予測される。本発明の第４観点に係る空調システムでは、係る時には、熱源機がガスファーネスユニットに切り換えられる。よって、環境負荷が精度よく抑制される。
【００１８】
本発明の第５観点に係る空調システムは、第１観点から第４観点のいずれかに係る空調システムであって、コントローラは、第１コストと、第２コストと、をそれぞれ算出する。第１コストは、ガスファーネスユニットを熱源機として稼動させた場合のコストである。第２コストは、ヒートポンプユニットを熱源機として稼動させた場合のコストである。コントローラは、熱源機としてガスファーネスユニットが稼動している場合において第１コストが第２コストよりも第１基準値を超える割合で高い時には、熱源機をヒートポンプユニットに切り換える省コスト制御を実行する。コントローラは、熱源機としてヒートポンプユニットが稼動している場合において第２コストが第１コストよりも第２基準値を超える割合で高い時には、熱源機をガスファーネスユニットに切り換える省コスト制御を実行する。コントローラは、省コスト制御よりも切換制御を優先して実行する。
【００１９】
本発明の第５観点に係る空調システムでは、コントローラは、熱源機としてガスファーネスユニットが稼動している場合において第１コストが第２コストよりも第１基準値を超える割合で高い時には、熱源機をヒートポンプユニットに切り換え、熱源機としてヒートポンプユニットが稼動している場合において第２コストが第１コストよりも第２基準値を超える割合で高い時には、熱源機をガスファーネスユニットに切り換える省コスト制御を実行し、省コスト制御よりも切換制御を優先して実行する。これにより、環境負荷の増加が懸念されない状況下においては、ガスファーネスユニット及びヒートポンプユニットのうちコストの低いほうが熱源機として稼動される。よって、運転に係るコストが抑制される。なお、コストとは、例えば商用の電気やガスを使用する際の対価である。
【００２０】
本発明の第６観点に係る空調システムは、第１観点から第４観点のいずれかに係る空調システムであって、コントローラは、起動時から第４期間を経過するまでの間及び切換制御を実行してから第５期間を経過するまでの間のうち一方又は双方において、切換制御の実行を禁止する。
【００２１】
本発明の第６観点に係る空調システムでは、コントローラは、起動時から第４期間を経過するまでの間、及び切換制御を実行してから第５期間を経過するまでの間のうち、一方又は双方において切換制御の実行を禁止する。これにより、環境負荷が抑制されるとともに快適性の低下が抑制される。
【００２２】
すなわち、熱源機の切換えが短時間の間に頻繁に行われると、環境負荷が増加するとともに快適性が低下することが想定される。しかし、空調システム起動後又は切換制御の実行後、所定時間を経過するまでは熱源機の切換えが抑制されることで、熱源機の切換えが短時間の間に頻繁に行われにくい。よって、環境負荷が増加しにくくまた快適性が低下しにくい。したがって、環境負荷が抑制されるとともに快適性の低下が抑制される。
【００２３】
本発明の第７観点に係る空調システムは、第５観点に係る空調システムであって、コントローラは、起動時から第４期間を経過するまでの間及び切換制御又は省コスト制御を実行してから第５期間を経過するまでの間のうち一方又は双方において、切換制御及び省コスト制御のうち一方又は双方の実行を禁止する。
【００２４】
本発明の第７観点に係る空調システムでは、コントローラは、起動時から第４期間を経過するまでの間、及び切換制御又は省コスト制御を実行してから第５期間を経過するまでの間のうち、一方又は双方において、切換制御及び省コスト制御のうち一方又は双方の実行を禁止する。これにより、環境負荷が抑制されるとともに快適性の低下が抑制される。
【００２５】
すなわち、熱源機の切換えが短時間の間に頻繁に行われると、環境負荷が増加するとともに快適性が低下することが想定される。しかし、空調システム起動後又は切換制御若しくは省コスト制御の実行後において、所定時間を経過するまでは熱源機の切換えが抑制されることで、熱源機の切換えが短時間の間に頻繁に行われにくい。よって、環境負荷が増加しにくくまた快適性が低下しにくい。したがって、環境負荷が抑制されるとともに快適性の低下が抑制される。
【発明の効果】
【００２６】
本発明の第１観点に係る冷凍装置では、ガスファーネスユニット及びヒートポンプユニットのいずれかを熱源機として稼動させ、状況に応じて熱源機の運転容量を可変に調整する空調システムにおいて、環境負荷が抑制される。
【００２７】
本発明の第２観点から第４観点に係る冷凍装置では、環境負荷が精度よく抑制される。
【００２８】
本発明の第５観点に係る冷凍装置では、運転に係るコストが抑制される。
【００２９】
本発明の第６観点及び第７観点に係る冷凍装置では、環境負荷が抑制されるとともに快適性の低下が抑制される。
【図面の簡単な説明】
【００３０】
【図１】本発明の一実施形態に係る空調システムの配置を示す模式図。
【図２】本体ケーシング内部の概略構成図。
【図３】ガスファーネスユニットの概略構成図。
【図４】ヒートポンプユニットの冷媒回路図。
【図５】コントローラの構成と、コントローラに接続されている機器と、を示す模式図。
【図６】切換制御部の構成を示す模式図。
【図７】暖房運転時における切換制御部の処理の流れを示すフローチャート。
【図８】暖房運転開始指示が入力された場合における各部の状態の変化の一例を示すタイミングチャート。
【図９】暖房運転開始指示が入力された場合における各部の状態の変化の一例を示すタイミングチャート。
【図１０】暖房運転開始指示が入力された場合における各部の状態の変化の一例を示すタイミングチャート。
【発明を実施するための形態】
【００３１】
以下、図面を参照しながら、本発明の一実施形態に係る空調システム１０について説明する。なお、以下の実施形態は、本発明の具体例であって、本発明の技術的範囲を限定するものではなく、発明の要旨を逸脱しない範囲で適宜変更が可能である。
【００３２】
（１）空調システム１０
図１は、本発明の一実施形態に係る空調システム１０の配置を示す模式図である。空調システム１０は、対象空間の空気調和を実現するシステムであり、冷房運転又は暖房運転が可能である。空調システム１０は、住宅等の平屋や低層の建物等に適用される。本実施形態において、空調システム１０は、２階建て構造の住宅１００に設置されている。
【００３３】
住宅１００には、１階において部屋１０１及び１０２が設けられ、２階において部屋１０３及び１０４が設けられている。部屋１０１、１０２、１０３及び１０４には、通風口ＡＨがそれぞれ形成されている。また、住宅１００には、地下室１０５が設けられている。
【００３４】
空調システム１０は、いわゆるダクト式の空調システムであって、主として、本体ケーシング１１と、ダクト１５と、ファンユニット２０と、ガスファーネスユニット（以下、ＧＦユニットと記載）３０と、ヒートポンプユニット（以下、ＨＰユニットと記載）４０と、電装品ユニット５２と、を備えている。空調システム１０は、冷房運転時にはＨＰユニット４０を稼動させ、部屋１０１から１０４内の空気調和を実現する。また、空調システム１０は、暖房運転時には所定条件に応じて、ＧＦユニット３０及びＨＰユニット４０のいずれかを熱源機として稼動させ、部屋１０１から１０４内の空気調和を実現する。以下、各部について説明する。
【００３５】
（２）各部の詳細
（２−１）本体ケーシング１１
図２は、本体ケーシング１１内の概略構成図である。本体ケーシング１１は、例えば金属製の筐体である。本体ケーシング１１の内部には、ファンユニット２０と、ＧＦユニット３０と、ＨＰユニット４０の利用側熱交換器４２（後述）と、が配設されている。本体ケーシング１１の底部及び底部近傍の側部には、空気を取り込むための吸気口１２が形成されている。本体ケーシング１１の上部には、取り込んだ空気を排出するための排気口１３が形成されている。本体ケーシング１１の側部には、各種の電装品を収容するための電装品箱１４が設けられている。電装品箱１４には、内部に設置される電装品を冷却する空気を取り入れるための通風口（図示省略）が形成されている。
【００３６】
（２−２）ダクト１５
ダクト１５は、空気を送るための金属製の配管である。ダクト１５は、排気口１３を介して本体ケーシング１１に接続され、本体ケーシング１１内部と連通している。ダクト１５は、本体ケーシング１１との接続部分から上方へ延び、途中で二手に分岐している。二手に分岐したダクト１５の一方は、地下室１０５の天井部に沿って延び、さらに途中で分岐して部屋１０１の通風口ＡＨ及び部屋１０２の通風口ＡＨに接続されることで、部屋１０１及び１０２と連通している。二手に分岐したダクト１５の他方は、上方に延びてから１階の天井部に沿って延び、さらに途中で分岐して部屋１０３の通風口ＡＨ及び部屋１０４の通風口ＡＨに接続されることで、部屋１０３及び１０４と連通している。このように配設されるダクト１５を介して、本体ケーシング１１内部と、部屋１０１から１０４とが連通している。
【００３７】
（２−３）ファンユニット２０
ファンユニット２０（特許請求の範囲記載の「送風機」に相当）は、空気流ＡＦ１を生成するためのユニットである。ファンユニット２０は、本体ケーシング１１内の底部近傍に配設されている。ファンユニット２０は、ファン２１と、第１ファンモータＭ２１と、を有している。
【００３８】
ファン２１は、例えばプロペラファンや多翼ファン等の送風機である。ファン２１は、第１ファンモータＭ２１の回転軸と接続されている。第１ファンモータＭ２１は、電装品箱１４に収容される第１電力供給部２１１とケーブル（図示省略）を介して接続されており、第１電力供給部２１１から電力を供給される。電力の供給を受けて第１ファンモータＭ２１が駆動すると、ファン２１が回転する。ファン２１が回転すると、空気流ＡＦ１が生成される。
【００３９】
空気流ＡＦ１は、吸気口１２から本体ケーシング１１内に流入し、ＧＦユニット３０の熱交換部３１（後述）及びＨＰユニット４０の利用側熱交換器４２（後述）を順に通過した後、排気口１３を介して本体ケーシング１１外部へ流出し、ダクト１５及び各通風口ＡＨを介して部屋１０１から１０４内へ流入する空気の流れである。
【００４０】
（２−４）ＧＦユニット（ガスファーネスユニット）３０
図３は、ＧＦユニット３０の概略構成図である。ＧＦユニット３０は、暖房運転時において所定条件を満たす場合に、熱源機として駆動される。ＧＦユニット３０は、主として、熱交換部３１と、本体部３２と、給気ダクト３３及び排気ダクト３４と、から構成されている。
【００４１】
（２−４−１）熱交換部３１
熱交換部３１は、本体ケーシング１１内において空気流ＡＦ１が通過する流路上に設けられる。具体的には、熱交換部３１は、本体ケーシング１１内に配設される燃焼ガスパイプ３１１を含む。燃焼ガスパイプ３１１内に燃焼ガス（後述）が存在する場合において空気流ＡＦ１が生成されると、空気流ＡＦ１と熱交換部３１との間で熱交換が行われる。すなわち、ＧＦユニット３０が熱源機として稼動する際、熱交換部３１は、通過する空気流ＡＦ１を加熱する「加熱部」として機能する。
【００４２】
（２−４−２）本体部３２
本体部３２は、熱交換部３１に隣接して配置されている。本体部３２内には、主として、ファン３５と、ガスバルブ３６と、燃焼部３７と、が収容されている。
【００４３】
ファン３５は、例えばプロペラファンや多翼ファン等の送風機である。ファン３５は、第２ファンモータ３５１の回転軸と接続されている。第２ファンモータ３５１は、電装品箱１４内に配設される第２電力供給部３５２とケーブル（図示省略）を介して接続されており、第２電力供給部３５２から電力を供給される。電力の供給を受けて第２ファンモータ３５１が駆動すると、これに連動してファン３５が回転し空気流ＡＦ２が生成される。空気流ＡＦ２は、本体部３２に接続された給気ダクト３３を介して屋外から本体部３２内に流入し、燃焼部３７及び燃焼ガスパイプ３１１を通過して、排気ダクト３４を介して屋外へ流出する空気の流れである。
【００４４】
ガスバルブ３６は、例えば電磁弁等のバルブである。ガスバルブ３６は、本体部３２外から燃焼部３７まで延びるガス管ＧＰ上に配設されている。ガス管ＧＰは、例えば気化した液化天然ガスや液化石油ガス等の燃料ガスを供給する商用のガス配管である。ガスバルブ３６は、電装品箱１４内に配設されるガスバルブ開閉部３６１とケーブル（図示省略）を介して接続されており、開閉を制御されている。ガスバルブ３６が開けられると、ガス管ＧＰを流れる燃料ガスは、燃焼部３７内へ流入して、空気流ＡＦ２に含まれる空気と混ざり合う。ガスバルブ３６が閉じられると、燃焼部３７内へ燃料ガスの供給が止められる。
【００４５】
燃焼部３７には、ガス管ＧＰが接続されている。また、燃焼部３７には、プラグ３７１が配設されている。プラグ３７１は、電装品箱１４内に配設されるプラグ用電力供給部３７２とケーブル（図示省略）を介して接続されており、電力を供給される。ファン３５が駆動した状態でガスバルブ３６が開けられると、燃焼部３７内において空気流ＡＦ２と燃料ガスとが混合される。この状態において、プラグ用電力供給部３７２からプラグ３７１に電力が供給されると、放電を生じて点火がなされる。これにより、混合したガスは燃焼して燃焼ガスとなる。
【００４６】
燃焼部３７には燃焼ガスパイプ３１１の一端が接続されており、燃焼ガスは、空気流ＡＦ２として燃焼ガスパイプ３１１へ流入する。燃焼ガスパイプ３１１へ流入した燃焼ガスは、燃焼ガスパイプ３１１を通過する際に空気流ＡＦ１と熱交換した後、燃焼ガスパイプ３１１の他端に接続された排気ダクト３４へ流入する。
【００４７】
（２−４−３）給気ダクト３３、排気ダクト３４
給気ダクト３３及び排気ダクト３４は、屋外から地下室１０５まで延びる例えば金属製の配管である。給気ダクト３３は屋外に設置される給気口を有し、排気ダクト３４は屋外に設置される排気口を有する。給気ダクト３３は、燃焼部３７等を介して燃焼ガスパイプ３１１の一端と接続されており、排気ダクト３４は、燃焼ガスパイプ３１１の他端と接続されている。給気ダクト３３及び排気ダクト３４は、地下室１０５の天井に沿って延び、給気口又は排気口を住宅１００の外壁等に固定される（図示省略）。
【００４８】
ファン３５の駆動時に給気口を介して給気ダクト３３に流入した外気は、排気ダクト３４を通過して燃焼部３７へ流入する。ファン３５の駆動時に排気ダクト３４へ流入した排気ガスは、排気ダクト３４を通過して住宅１００外へ排出される。
【００４９】
（２−５）ＨＰユニット（ヒートポンプユニット）４０
図４は、ＨＰユニット４０の冷媒回路図である。ＨＰユニット４０は、冷房運転時に駆動されるともに、暖房運転時において所定条件を満たす場合に熱源機として駆動される。ＨＰユニット４０は、主として、冷媒配管４１と、利用側熱交換器４２と、室外機４３と、を有しており、これらが接続されることで、ＨＰユニット４０では冷媒回路が構成されている。
【００５０】
（２−５−１）冷媒配管４１
冷媒配管４１は、例えば銅製の配管であり、内部を冷媒が流れる。冷媒配管４１は、利用側熱交換器４２と、室外機４３と、を接続している。
【００５１】
（２−５−２）利用側熱交換器４２
利用側熱交換器４２（特許請求の範囲記載の「放熱器」に相当）は、例えばクロスフィン型式やマイクロチャネル型式の熱交換器である。利用側熱交換器４２は、内部を冷媒が流れる伝熱管（図示省略）を含んでいる。当該伝熱管の流入口及び流出口のそれぞれにおいて、冷媒配管４１が接続されている。利用側熱交換器４２は、本体ケーシング１１内において、ファンユニット２０及びＧＦユニット３０の熱交換部３１の上方に位置するように配設されている。換言すると、利用側熱交換器４２は、ファンユニット２０及びＧＦユニット３０の熱交換部３１よりも空気流ＡＦ１の下流側に位置している。このように配置される利用側熱交換器４２は、ＨＰユニット４０が稼動している状態において、空気流ＡＦ１が利用側熱交換器４２を通過する際、空気流ＡＦ１と伝熱管を流れる冷媒とが熱交換するように構成されている。利用側熱交換器４２は、冷房運転時には冷媒の蒸発器として機能する。また、利用側熱交換器４２は、暖房運転時においてＨＰユニット４０が熱源機として稼動する際、冷媒の凝縮器又は放熱器として機能する。
【００５２】
（２−５−３）室外機４３
室外機４３は、屋外に設置される。室外機４３は、その内部に、主として、四路切換弁ＦＶ、圧縮機４５、室外ファン４６、室外熱交換器４７、冷媒温度センサ４８、膨張弁４９、外気温センサ５０及び室外機制御部５１を有している。
【００５３】
四路切換弁ＦＶは、冷房運転と暖房運転との切換時に、冷媒の流れの方向を切り換えるための弁である。四路切換弁ＦＶは、ケーブルを介して室外機制御部５１と接続されており（図示省略）、室外機制御部５１により流路を切り換えられる。具体的に、四路切換弁ＦＶは、冷房運転時には、利用側熱交換器４２において蒸発したガス冷媒が圧縮機４５に流入するとともに、圧縮機４５から吐出された吐出ガスが室外熱交換器４７に流入するように冷媒流路を切り換えられる（図４における四路切換弁ＦＶ内の実線を参照）。また、四路切換弁ＦＶは、暖房運転時には、室外熱交換器４７において蒸発したガス冷媒が圧縮機４５に流入するとともに、圧縮機４５から吐出された吐出ガスが利用側熱交換器４２に流入するように冷媒流路を切り換えられる（図４における四路切換弁ＦＶ内の点線を参照）。
【００５４】
圧縮機４５は、低圧のガス冷媒を吸入し、圧縮して高圧のガス冷媒としてから吐出する機構である。圧縮機４５は、例えば、ロータリ式やスクロール式等の容積式の圧縮機である。また、圧縮機４５は、例えば、駆動源である圧縮機モータＭ４５をケーシング（図示省略）内に収容された密閉式圧縮機である。圧縮機モータＭ４５は、例えば３相のブラシレスＤＣモータである。圧縮機モータＭ４５は、室外機制御部５１によって回転数を適宜調整される。これにより、ＨＰユニット４０は、運転容量を可変に制御される。
【００５５】
室外ファン４６は、例えばプロペラファン等の送風機である。室外ファン４６は、室外ファンモータＭ４６の回転軸と接続されている。室外ファンモータＭ４６は、後述する室外機制御部５１に含まれる室外ファン電力供給部（図示省略）とケーブル（図示省略）を介して接続されており、電力を供給される。電力の供給を受けて室外ファンモータＭ４６が駆動すると、室外ファン４６が回転して、室外機４３外部から内部に流入して室外熱交換器４７を通過する空気流が生成される。
【００５６】
室外熱交換器４７は、例えばクロスフィン型式やマイクロチャネル型式の熱交換器である。室外熱交換器４７は、内部を冷媒が流れる伝熱管（図示省略）を含んでいる。当該伝熱管の流入口及び流出口のそれぞれにおいて、冷媒配管４１が接続されている。室外熱交換器４７は、室外ファン４６によって生成される空気流が通過すると、当該空気流と伝熱管を流れる冷媒とが熱交換するように構成されている。室外熱交換器４７は、冷房運転時には冷媒の凝縮器として機能する。暖房運転時には冷媒の蒸発器として機能する。
【００５７】
冷媒温度センサ４８は、例えば熱電対やサーミスタ等のセンサである。冷媒温度センサ４８は、室外熱交換器４７内を流れる冷媒温度を検出する。冷媒温度センサ４８は、ケーブル（図示省略）を介して室外機制御部５１と接続されており、検出値のアナログ信号を出力している。
【００５８】
膨張弁４９は、例えば電動弁で構成されている。膨張弁４９は、利用側熱交換器４２と室外熱交換器４７との間に位置している。膨張弁４９は、利用側熱交換器４２又は室外熱交換器４７において凝縮した高圧の液冷媒を減圧する。膨張弁４９は、ケーブルを介して室外機制御部５１と接続されており（図示省略）、室外機制御部５１によって開度を適宜調整される。
【００５９】
外気温センサ５０は、例えば熱電対やサーミスタ等のセンサである。外気温センサ５０は、本実施形態においては、室外機４３内に設置されている。外気温センサ５０は、外気の温度を外気温Ｔｏとして検出する。外気温センサ５０は、ケーブル（図示省略）を介して室外機制御部５１と接続されており、検出値のアナログ信号を出力している。なお、外気温センサ５０は、必ずしも室外機４３内に配設される必要はなく、例えば住宅１００の外壁等に設置されてもよい。
【００６０】
室外機制御部５１は、ＣＰＵやメモリ等から構成されるマイクロコンピュータである。室外機制御部５１は、圧縮機モータＭ４５の回転数を調整するためのインバータ（図示省略）を含んでいる。また、室外機制御部５１は室外ファンモータＭ４６に電力を供給するための室外ファン電力供給部を含んでいる。室外機制御部５１は、コントローラ６０（後述）と、ケーブル６０１を介して接続されており、信号の送受信を行っている。具体的に、室外機制御部５１は、コントローラ６０からの指示を受けて、インバータ及び室外ファン電力供給部を機能させる。これにより、圧縮機モータＭ４５が指定される回転数で駆動され、また、室外ファンモータＭ４６が駆動される。また、室外機制御部５１は、外気温センサ５０から出力されるアナログ信号を受け、Ａ／Ｄ変換して外気温情報を生成する。室外機制御部５１は、生成した外気温情報をコントローラ６０に適宜送信する。
【００６１】
（２−６）電装品ユニット５２
電装品ユニット５２は、各種の電装品を含むユニットである。電装品ユニット５２は、部屋１０２内の側壁に設置されている。電装品ユニット５２は、主として、室温センサ５３、入力部５４、表示部５５及びコントローラ６０を含んでいる。
【００６２】
（２−６−１）室温センサ５３
室温センサ５３は、例えば熱電対やサーミスタ等のセンサを含んでいる。室温センサ５３は、部屋１０２内の温度を検出する。すなわち、室温センサ５３は、室内温度Ｔｉ（後述）を検出する。また、室温センサ５３は、通信機能及びＡ／Ｄ変換機能を有するインターフェース（図示省略）を含んでいる。室温センサ５３は、ケーブル６０１（図５参照）を介してコントローラ６０と接続されている。室温センサ５３は、検出値をＡ／Ｄ変換したディジタル信号をコントローラ６０に送信している。なお、室温センサ５３は、本実施形態においては部屋１０２内に配設されるが、必ずしも部屋１０２内に配設される必要はなく、住宅１００内の部屋１０２以外の部屋に設置されてもよい。
【００６３】
（２−６−２）入力部５４
入力部５４は、例えば入力キーやタッチパネル等で構成される（図示省略）。入力部５４は、ユーザによって指示を入力される。例えば、ユーザは、入力部５４を介して、冷房運転開始、暖房運転開始、運転停止及び設定温度の選択等の指示を入力する。入力部５４は、ケーブル６０１（図５参照）を介してコントローラ６０と接続されている。入力部５４は、入力された指示に応じた指示信号をコントローラ６０に送信する。
【００６４】
（２−６−３）表示部５５
表示部５５は、例えばＬＥＤランプや液晶パネル等で構成される（図示省略）。表示部５５は、ケーブル６０１（図５参照）を介してコントローラ６０と接続されており、コントローラ６０から表示データ信号を受信する。表示部５５は、受信した表示データ信号に基づき、空調システム１０の動作状況（運転中であるか否かや設定温度など）や室温の状況等を表示する。
【００６５】
（２−６−４）コントローラ６０
コントローラ６０は、ＲＡＭ、ＲＯＭ及びＣＰＵ等を含むマイクロコンピュータである。コントローラ６０は、ケーブル６０１を介して接続されている各部と、信号の送受信を行い又は動作を制御する。すなわち、コントローラ６０は、ファンユニット２０、ＧＦユニット３０、ＨＰユニット４０等の機器の動作を制御している。以下の「（３）コントローラ６０の詳細」において、コントローラ６０の詳細について説明する。
【００６６】
（３）コントローラ６０の詳細
図５は、コントローラ６０の概略構成と、コントローラ６０に接続されている機器と、を示す模式図である。コントローラ６０は、主として、室外機制御部５１、室温センサ５３、入力部５４、表示部５５、第１電力供給部２１１、第２電力供給部３５２、ガスバルブ開閉部３６１及びプラグ用電力供給部３７２と、ケーブル６０１を介して接続されている。
【００６７】
コントローラ６０は、主として、記憶部６１と、切換制御部６２と、ファンユニット制御部６３と、ガスファーネスユニット制御部（以下、ＧＦユニット制御部と記載）６４と、ヒートポンプユニット制御部（以下、ＨＰユニット制御部と記載）６５と、表示制御部６６と、を含んでいる。以下、これらについて説明する。
【００６８】
（３−１）記憶部６１
記憶部６１は、切換制御部６２、ファンユニット制御部６３、ＧＦユニット制御部６４、ＨＰユニット制御部６５及び表示制御部６６において実行される制御プログラムを保持している。また、記憶部６１は、所定期間（例えば１分）毎に室温センサ５３から送信されるディジタル信号を室内温度（以下、室温と記載）Ｔｉとして保持する。また、記憶部６１は、所定期間（例えば１分）毎に室外機制御部５１から送られる外気温情報を受信し、外気温Ｔｏとして保持する。また、記憶部６１は、入力部５４から送信される指示信号を解読して、冷房運転開始指示、暖房運転開始指示、運転停止指示及び設定温度Ｔｐ等を抽出して保持する。
【００６９】
（３−２）切換制御部６２
図６は、切換制御部６２の構成を示す模式図である。切換制御部６２は、空調システム１０の熱源機の選択若しくは切換えに関する制御を行う。なお、切換制御部６２による熱源機の選択若しくは切換えの詳細については、後述の「（４）暖房運転時における切換制御部６２の処理の流れ」において説明する。切換制御部６２は、主として、取得部６２１と、演算部６２２と、判定部６２３と、熱源機選択部６２４と、切換判断部６２５と、駆動信号生成部６２６と、を有している。
【００７０】
（３−２−１）取得部６２１
電源が投入されると、取得部６２１は、まず記憶部６１から制御プログラムを取得する。次に、取得部６２１は、制御プログラムに沿って、記憶部６１からユーザの指示を取得する。具体的に、取得部６２１は、記憶部６１に冷房運転開始指示、暖房運転開始指示又は運転停止指示が格納されると、これをリアルタイムに取得する。
【００７１】
そして、取得部６２１は、制御プログラムに沿って、所定のタイミングで記憶部６１から外気温Ｔｏ、室温Ｔｉ又は設定温度Ｔｐを取得する。具体的に、取得部６２１は、冷房運転開始指示を取得した時には、冷房運転開始信号を駆動信号生成部６２６に出力するとともに、室温Ｔｉ及び設定温度Ｔｐを取得して演算部６２２に出力する。
【００７２】
また、取得部６２１は、暖房運転開始指示を取得した時、及び切換判断部６２５から切換許容信号（後述）を受けた時には、外気温Ｔｏを取得する。また、取得部６２１は、熱源機選択部６２４からＨＰユニット選択信号（後述）若しくはＧＦユニット選択信号（後述）を受けた時には、外気温Ｔｏ、室温Ｔｉ及び設定温度Ｔｐを取得する。取得部６２１は、取得した外気温Ｔｏを判定部６２３へ出力する。また、取得部６２１は、取得した外気温Ｔｏ、室温Ｔｉ及び設定温度Ｔｐを演算部６２２に出力する。
【００７３】
（３−２−２）演算部６２２
演算部６２２は、取得部６２１から出力された外気温Ｔｏ、室温Ｔｉ又は設定温度Ｔｐに基づいて熱負荷を算出する。演算部６２２は、算出した熱負荷を駆動信号生成部６２６に出力する。なお、制御プログラムにおいて、外気温Ｔｏ、室温Ｔｉ又は設定温度Ｔｐから熱負荷を算出するための計算式やテーブル等がプログラミングされており、演算部６２２は、当該制御プログラムに沿って熱負荷を算出する。
【００７４】
冷房運転時には、演算部６２２は、算出した熱負荷を駆動信号生成部６２６に出力する。また、暖房運転時には、演算部６２２は、熱負荷の算出後、ＧＦユニット３０を駆動させた場合の第１コストＧｃと、ＨＰユニット４０を駆動させた場合の第２コストＨｃと、を算出する。具体的には、制御プログラムにおいて、熱負荷と、ＧＦユニット３０及びＨＰユニット４０の単位時間当たりの環境負荷と、単位時間当たりにおける商用電力及び商用ガスの使用料金と、の相関関係を定義したテーブルや計算式等がプログラミングされており、当該制御プログラムに沿って、第１コストＧｃ及び第２コストＨｃが算出される。演算部６２２は、算出した第１コストＧｃ及び第２コストＨｃを判定部６２３に出力する。
【００７５】
（３−２−３）判定部６２３
判定部６２３は、所定のタイミングにおいて、制御プログラムに沿って各種の判定を行う。以下、判定部６２３が行う判定について説明する。
【００７６】
（３−２−３−１）外気温判定
判定部６２３は、取得部６２１から出力された外気温Ｔｏを受けると、外気温Ｔｏが所定の設定値Ｐｖ１以上であるか否かの判定である外気温判定を行う。なお、設定値Ｐｖ１は、暖房運転時において外気温Ｔｏが設定値Ｐｖ１未満であればＨＰユニット４０を熱源機として稼動させるよりもＧＦユニット３０を熱源機として稼動させたほうが環境負荷が低い、という条件を満たす外気温Ｔｏの値として、予め制御プログラムにおいて設定されている。本実施形態において、設定値Ｐｖ１は、０（℃）に設定されている。
【００７７】
判定部６２３は、外気温判定の結果、外気温Ｔｏが設定値Ｐｖ１以上である場合には、その旨を示す外気温高判定信号を熱源機選択部６２４に出力する。一方、判定部６２３は、外気温Ｔｏが設定値Ｐｖ１未満である場合には、その旨を示す外気温低判定信号を熱源機選択部６２４に出力する。
【００７８】
（３−２−３−２）ＧＦ容量判定
判定部６２３は、駆動信号生成部６２６から出力されるＧＦ容量設定信号（後述）を受けると、これを保持する。判定部は、ワーキングメモリ（図示省略）を有しており、所定個数分のＧＦ容量設定信号を保持することができる。そして、判定部６２３は、保持するＧＦ容量設定信号が設定数Ｐｎ１に達すると、ＧＦ容量判定を行う。
【００７９】
具体的に、判定部６２３は、ＧＦ容量判定において、保持する各ＧＦ容量設定信号に含まれるＧＦユニット３０の運転容量のレベルの平均値を算出する。そして、算出した運転容量のレベルの平均値に基づいて、所定期間Ｐ１あたりにおけるＧＦユニット３０が熱源機として稼動しているデューティ比の積算値Ｉｖ１を算出する。なお、制御プログラムにおいて、ＧＦユニット３０の運転容量のレベルの平均値と、デューティ比の積算値Ｉｖ１と、の相関関係について定義されたテーブルがプログラミングされており、判定部６２３は、当該制御プログラムに沿ってデューティ比の積算値Ｉｖ１を算出する。そして、算出したデューティ比の積算値Ｉｖ１が第２閾値ΔＴｈ２以上か否かを判定する。
【００８０】
ここで、デューティ比の積算値Ｉｖ１とは、熱源機としてＧＦユニット制御部６４が選択されている場合において、所定期間Ｐ１あたりにＧＦユニット３０が駆動している時間の割合のことである。また、設定数Ｐｎ１は、所定期間Ｐ１に応じて設定されており、本実施形態においては、所定期間Ｐ１が３０分となるように３０個に設定されている。
【００８１】
また、第２閾値ΔＴｈ２は、デューティ比の積算値Ｉｖ１が当該第２閾値ΔＴｈ２未満であれば所定期間Ｐ１あたりにおけるＧＦユニット３０の発停の回数が第１閾値ΔＴｈ１以上と推定される、という条件を満たす値が選定され、予め制御プログラムにおいて設定されている。本実施形態において、第２閾値ΔＴｈ２は、例えば３０パーセントに設定されている。
【００８２】
また、第１閾値ΔＴｈ１は、暖房運転時において所定期間Ｐ１あたりにおけるＧＦユニット３０の発停の回数が第１閾値ΔＴｈ１以上であれば、ＧＦユニット３０が短時間の間に発停を繰り返して環境負荷の増加が懸念される、という条件を満たす値が選ばれる。なお、発停の回数とは、ＧＦユニット３０が駆動していない状態から駆動状態になる回数のことである。本実施形態において、第１閾値ΔＴｈ１は５回という前提で、第２閾値ΔＴｈ２が設定されている。
【００８３】
判定部６２３は、ＧＦ容量判定において、デューティ比の積算値Ｉｖ１が第２閾値ΔＴｈ２未満である場合には、その旨を示すＧＦ容量小判定信号を熱源機選択部６２４に出力する。
【００８４】
（３−２−３−３）ＨＰ容量判定
判定部６２３は、駆動信号生成部６２６から出力されるＨＰ容量設定信号（後述）を受けると、これを保持する。判定部は、ワーキングメモリ（図示省略）を有しており、所定個数分のＨＰ容量設定信号を保持することができる。そして、判定部６２３は、保持するＨＰ容量設定信号が設定数Ｐｎ２に達すると、ＨＰ容量判定を行う。
【００８５】
具体的に、判定部６２３は、ＨＰ容量判定において、保持する各ＨＰ容量設定信号に含まれるＨＰユニット４０の運転容量のレベルの平均値を算出する。また、判定部６２３は、算出した運転容量のレベルの平均値に基づいて、部分負荷率の平均値Ａｖ１を算出する。制御プログラムにおいて、ＨＰユニット４０の運転容量のレベルの平均値と、部分負荷率の平均値Ａｖ１と、の相関関係を定義したテーブルがプログラミングされており、判定部６２３は、当該制御プログラムに沿って部分負荷率の平均値Ａｖ１を算出する。そして、判定部６２３は、算出した部分負荷率の平均値Ａｖ１が第３閾値ΔＴｈ３未満か否かを判定する。
【００８６】
ここで、部分負荷率とは、ＨＰユニット４０の暖房能力を定格能力で除した値のことである。また、部分負荷率の平均値Ａｖ１は、暖房運転の際に熱源機としてＨＰユニット４０が選択されている場合における所定期間Ｐ２あたりの部分負荷率の平均値である。また、設定数Ｐｎ２は、所定期間Ｐ２に応じて設定されており、本実施形態においては、所定期間Ｐ２が３０分となるように３０個に設定されている。
【００８７】
また、第３閾値ΔＴｈ３は、暖房運転時において部分負荷率の平均値Ａｖ１が当該第３閾値ΔＴｈ３以上であればＨＰユニット４０ではなくＧＦユニット３０を熱源機として稼動させたほうが環境負荷が低い、という条件を満たす値が選定され、予め制御プログラムにおいて設定されている。本実施形態において、第３閾値ΔＴｈ３は、例えば９０パーセントに設定されている。
【００８８】
判定部６２３は、ＨＰ容量判定において、部分負荷率の平均値Ａｖ１が第３閾値ΔＴｈ３以上である場合には、その旨を示すＨＰ容量大判定信号を熱源機選択部６２４に出力する。
【００８９】
（３−２−３−４）省コスト判定
判定部６２３は、演算部６２２から出力される第１コストＧｃ及び第２コストＨｃを受けると、第１コストＧｃ及び第２コストＨｃを比較する省コスト判定を行う。
【００９０】
具体的には、判定部６２３は、ＧＦユニット３０が熱源機として稼動している場合には、第１コストＧｃが第２コストＨｃよりも所定の第１基準値Ｓｖ１を超える割合で大きいか否か、を判定する省コスト判定を行う。より詳細には、判定部６２３は、第１コストＧｃを第２コストＨｃで除した値が第１基準値Ｓｖ１を超えるか否かを判定する。判定部６２３は、省コスト判定の結果、第１コストＧｃが第２コストＨｃよりも第１基準値Ｓｖ１を超える割合で大きい場合には、その旨を示す第１コスト大判定信号を熱源機選択部６２４に出力する。一方、判定部６２３は、省コスト判定の結果、第１コストＧｃが第２コストＨｃよりも第１基準値Ｓｖ１を超える割合で大きくない場合には、その旨を示す第１コスト小判定信号を熱源機選択部６２４に出力する。なお、第１基準値Ｓｖ１は、予め制御プログラムにおいて設定された値であり、本実施形態では、Ｓｖ１＝１．１に設定される。
【００９１】
また、判定部６２３は、暖房運転の際にＨＰユニット４０が熱源機として稼動している場合には、第２コストＨｃが第１コストＧｃよりも所定の第２基準値Ｓｖ２を超える割合で大きいか否か、を判定する省コスト判定を行う。より詳細には、判定部６２３は、第２コストＨｃを第１コストＧｃで除した値が第２基準値Ｓｖ２未満か否かを判定する。判定部６２３は、省コスト判定の結果、第２コストＨｃが第１コストＧｃよりも第２基準値Ｓｖ２を超える割合で大きい場合には、その旨を示す第２コスト大判定信号を熱源機選択部６２４に出力する。一方、判定部６２３は、省コスト判定の結果、第２コストＨｃが第１コストＧｃよりも第２基準値Ｓｖ２を超える割合で大きくない場合には、その旨を示す第２コスト小判定信号を熱源機選択部６２４に出力する。なお、第２基準値Ｓｖ２は、予め制御プログラムにおいて設定された値であり、本実施形態では、第１基準値Ｓｖ１と同様にＳｖ２＝１．１に設定される。
【００９２】
（３−２−４）熱源機選択部６２４
熱源機選択部６２４は、判定部６２３から外気温低判定信号、ＨＰ容量大判定信号、第１コスト小判定信号又は第２コスト大判定信号を受けると、ＨＰユニット４０ではなくＧＦユニット３０を暖房運転の際の熱源機として選択するガスファーネスユニット選択信号（以下、ＧＦユニット選択信号と記載）を、取得部６２１及び駆動信号生成部６２６に出力する。
【００９３】
また、熱源機選択部６２４は、判定部６２３から外気温高判定信号を受けた状態で更にＧＦ容量小判定信号、第１コスト大判定信号又は第２コスト小判定信号を受けると、ＧＦユニット３０ではなくＨＰユニット４０を熱源機として選択するヒートポンプユニット選択信号（以下、ＨＰユニット選択信号と記載）を、取得部６２１及び駆動信号生成部６２６に出力する。
【００９４】
また、熱源機選択部６２４は、切換判断部６２５から出力される切換禁止信号（後述）を受けると、前回出力した信号と同一の信号を取得部６２１及び駆動信号生成部６２６に出力する。例えば、前回出力した信号がＧＦユニット選択信号である場合において切換判断部６２５から出力される切換禁止信号を受けた時には、熱源機選択部６２４は、ＧＦユニット選択信号を取得部６２１及び駆動信号生成部６２６に出力する。また、前回出力した信号がＨＰユニット選択信号である場合において切換判断部６２５から出力される切換禁止信号を受けた時には、熱源機選択部６２４は、ＨＰユニット選択信号を取得部６２１及び駆動信号生成部６２６に出力する。
【００９５】
（３−２−５）切換判断部６２５
切換判断部６２５は、時間を計測するタイマー機能を有している。切換判断部６２５は、所定の信号を受けると、時間の計測を開始する。具体的には、切換判断部６２５は、駆動信号生成部６２６から出力されるＧＦユニット駆動信号（後述）又はＨＰユニット駆動信号（後述）を受けると時間の計測を開始する。また、切換判断部６２５は、ＧＦユニット駆動信号を受けた後にＨＰユニット駆動信号を受けた時、及びＨＰユニット駆動信号を受けた後にＧＦユニット駆動信号を受けた時には、それまでにカウントした計測時間Ｃｔをリセットした上で時間の計測を再び開始する。
【００９６】
切換判断部６２５は、所定時間Ｐｔ毎に、計測時間Ｃｔが設定時間Ｓｔ以上であるか否かを判断する。そして、判断の結果、計測時間Ｃｔが設定時間Ｓｔ未満であれば、切換判断部６２５は、切換禁止信号を熱源機選択部６２４に出力する。一方、判断の結果、計測時間Ｃｔが設定時間Ｓｔ以上であれば、切換判断部６２５は、切換許容信号を取得部６２１に出力する。なお、設定時間Ｓｔ及び所定時間Ｐｔは、制御プログラムにおいて適当な値が設定されるが、本実施形態においては、設定時間Ｓｔは３０分に設定され、所定時間Ｐｔは５分に設定される。
【００９７】
（３−２−６）駆動信号生成部６２６
駆動信号生成部６２６は、制御プログラムに沿って各種の信号を生成して各部に出力する。
【００９８】
具体的に、駆動信号生成部６２６は、熱源機選択部６２４から出力されるＧＦユニット選択信号を受けている状態において、演算部６２２から出力される熱負荷を受けると、ＧＦ容量設定信号を生成する。ＧＦ容量設定信号は、ＧＦユニット３０が熱源機として稼動する際の運転容量のレベルをＧＦユニット制御部６４に指示する信号である。なお、予め制御プログラムにおいて、熱負荷と、ＧＦユニット３０の運転容量のレベルと、の相関関係を定義したテーブルがプログラミングされており、当該制御プログラムに沿って、ＧＦ容量設定信号が生成される。
【００９９】
また、駆動信号生成部６２６は、取得部６２１から出力された冷房運転開始信号又は熱源機選択部６２４から出力されるＨＰユニット選択信号を受けている状態において、演算部６２２から出力される熱負荷を受けると、ＨＰ容量設定信号を生成する。ＨＰ容量設定信号は、ＨＰユニット４０が冷房運転時に稼動する際又は暖房運転時に熱源機として稼動する際の運転容量のレベルをＨＰユニット制御部６５に指示する信号である。なお、予め制御プログラムにおいて、熱負荷と、ＨＰユニット４０の運転容量のレベルと、の相関関係を定義したテーブルがプログラミングされており、当該制御プログラムに沿って、ＨＰ容量設定信号が生成される。
【０１００】
駆動信号生成部６２６は、暖房運転時には生成したＧＦ容量設定信号及びＨＰ容量設定信号を判定部６２３に出力する。また、駆動信号生成部６２６は、ＧＦ容量設定信号を生成した場合には、生成したＧＦ容量設定信号とともにガスファーネスユニット駆動信号（以下、ＧＦユニット駆動信号と記載）をＧＦユニット制御部６４に出力し、ヒートポンプユニット停止信号（以下、ＨＰユニット停止信号と記載）をＨＰユニット制御部６５に出力する。また、駆動信号生成部６２６は、ＨＰ容量設定信号を生成した場合には、生成したＨＰ容量設定信号とともにヒートポンプユニット駆動信号（以下、ＨＰユニット駆動信号と記載）をＨＰユニット制御部６５に出力し、ガスファーネスユニット停止信号（以下、ＧＦユニット停止信号と記載）をＧＦユニット制御部６４に出力する。なお、ＨＰユニット駆動信号には、冷房運転及び暖房運転のうちいずれが指示されているかを特定する情報が含まれている。
【０１０１】
（３−３）ファンユニット制御部６３
電源が投入されると、ファンユニット制御部６３は、まず記憶部６１から制御プログラムを取得する。次に、ファンユニット制御部６３は、制御プログラムに沿って、記憶部６１からユーザの指示を取得する。具体的に、ファンユニット制御部６３は、記憶部６１に冷房運転開始指示、暖房運転開始指示又は運転停止指示が格納されると、これをリアルタイムに取得する。
【０１０２】
ファンユニット制御部６３は、冷房運転開始指示又は暖房運転開始指示を取得した時には、第１電力供給部２１１へ信号を送り、第１ファンモータＭ２１への電力供給を開始させる。これにより、第１ファンモータＭ２１が駆動を開始し、ファンユニット２０は稼動状態となる。また、ファンユニット制御部６３は、運転停止指示を取得した時には、第１電力供給部２１１へ信号を送り、第１ファンモータＭ２１への電力供給を停止させる。これにより、第１ファンモータＭ２１が駆動を停止し、ファンユニット２０は稼動を停止する状態となる。
【０１０３】
（３−４）ＧＦユニット制御部６４
電源が投入されると、ＧＦユニット制御部６４は、記憶部６１から制御プログラムを取得する。ＧＦユニット制御部６４は、制御プログラムに沿った信号を生成して各部に送信する。
【０１０４】
具体的には、ＧＦユニット制御部６４は、駆動信号生成部６２６から出力されるＧＦユニット駆動信号を受けると、ＧＦユニット３０を熱源機として稼動させるＧＦユニット駆動制御を行う。すなわち、ＧＦユニット制御部６４は、ＧＦユニット駆動制御において、まず第２電力供給部３５２へ信号を送り、第２ファンモータ３５１への電力供給を開始させる。また、これとともに、ＧＦユニット制御部６４は、ガスバルブ開閉部３６１へ信号を送りガスバルブ３６を開けさせる。その後、ＧＦユニット制御部６４は、プラグ用電力供給部３７２に信号を送り、所定時間、プラグ３７１の放電を生じさせる。これにより、第２ファンモータ３５１の駆動が開始されてファン３５は動作状態となるとともに、燃焼部３７内において燃焼ガスが生成され、ＧＦユニット３０は駆動状態となる。なお、既にＧＦユニット３０が熱源機として稼動している状態においてＧＦユニット駆動信号を受けた時には、ＧＦユニット制御部６４は何もしない。
【０１０５】
また、ＧＦユニット制御部６４は、駆動信号生成部６２６から出力されるＧＦ容量設定信号を受けると、ＧＦユニット３０を間欠運転させるＧＦユニット間欠駆動制御を行う。すなわち、ＧＦユニット制御部６４は、ＧＦユニット間欠駆動制御において、所定のタイミングでガスバルブ開閉部３６１へ信号を送り、ガスバルブ３６を閉じさせる。その後、所定のタイミングでガスバルブ開閉部３６１へ信号を送りガスバルブ３６を開けさせてから、プラグ用電力供給部３７２に信号を送りプラグ３７１の放電を生じさせる。これにより、ＧＦユニット３０は、所定のタイミングで発停を繰り返す間欠駆動状態となり、ＧＦユニット３０がＧＦ容量設定信号で指定される運転容量で駆動する。
【０１０６】
なお、制御プログラムにおいて、ＧＦ容量設定信号において指定される運転容量のレベルと、間欠駆動制御においてガスバルブ３６の開閉が行われるタイミングと、の相関関係について定義されたテーブルがプログラミングされている。ＧＦユニット制御部６４は、当該テーブルに基づいて、ＧＦユニット間欠駆動制御を行う。また、ＧＦユニット３０が間欠駆動状態となっている場合においてＧＦ容量設定信号を受けると、ＧＦユニット制御部６４は、改めて上記テーブルを参照して間欠駆動制御を更新する。
【０１０７】
また、ＧＦユニット制御部６４は、駆動信号生成部６２６から出力されるＧＦユニット停止信号を受けると、ＧＦユニット３０の熱源機としての稼動を停止させるＧＦユニット停止制御を行う。すなわち、ＧＦユニット制御部６４は、ＧＦユニット停止制御において、まずガスバルブ開閉部３６１へ信号を送り、ガスバルブ３６を閉じさせる。その後、第２電力供給部３５２へ信号を送り、第２ファンモータ３５１への電力供給を停止させる。これにより、第２ファンモータ３５１の駆動が停止されてファン３５は停止状態となるとともに、燃焼部３７内において燃焼ガスの生成が停止され、ＧＦユニット３０は熱源機としての稼動を停止する状態となる。なお、ＧＦユニット３０が熱源機としての稼動を停止している状態においてＧＦユニット停止信号を受けた時には、ＧＦユニット制御部６４は何もしない。
【０１０８】
（３−５）ＨＰユニット制御部６５
電源が投入されると、ＨＰユニット制御部６５は、記憶部６１から制御プログラムを取得する。ＨＰユニット制御部６５は、制御プログラムに沿った信号を生成して各部に送信する。
【０１０９】
具体的には、ＨＰユニット制御部６５は、駆動信号生成部６２６から出力されるＨＰ容量設定信号及びＨＰユニット駆動信号を受けた時には、ＨＰユニット４０を稼動させるＨＰユニット駆動制御及びＨＰユニット容量制御を行う。
【０１１０】
すなわち、ＨＰユニット制御部６５は、ＨＰユニット駆動制御において、冷房運転及び暖房運転に応じて四路切換弁ＦＶの流路を切り換える。また、ＨＰユニット制御部６５は、室外機制御部５１へ信号を送り、室外ファンモータＭ４６が駆動を開始するよう室外ファン電力供給部に電力供給を開始させる。また、ＨＰユニット制御部６５は、室外機制御部５１へ信号を送り、膨張弁４９を適切な開度で開けさせる。
【０１１１】
また、ＨＰユニット制御部６５は、ＨＰユニット容量制御において、ＨＰ容量設定信号に含まれるＨＰユニットの運転容量のレベルに基づいて、圧縮機モータＭ４５の回転数を決定する。そして、ＨＰユニット制御部６５は、室外機制御部５１へ信号を送り、決定した回転数で圧縮機モータＭ４５が駆動するようインバータに電力供給を行わせる。なお、制御プログラムにおいて、ＨＰ容量設定信号において指定される運転容量のレベルと、圧縮機モータＭ４５の回転数と、の相関関係について定義されたテーブルがプログラミングされている。ＨＰユニット制御部６５は、当該テーブルに基づいて、ＨＰユニット容量制御を行う。
【０１１２】
上記ＨＰユニット駆動制御及びＨＰユニット容量制御により、ＨＰユニット４０において蒸気圧縮冷凍サイクルが機能し、ＨＰユニット４０は、指定された運転容量で稼動する状態となる。なお、暖房運転の際、既にＨＰユニット４０が稼動している状態においてＨＰユニット駆動信号を受けた時には、ＨＰユニット制御部６５は何もしない。また、ＨＰユニット４０が駆動状態となっている場合においてＨＰ容量設定信号を受けると、ＨＰユニット制御部６５は、改めて上記テーブルを参照して圧縮機モータＭ４５の回転数を更新し、室外機制御部５１へ信号を送って、更新した回転数で圧縮機モータＭ４５が駆動するようインバータに電力供給を行わせる。
【０１１３】
また、ＨＰユニット制御部６５は、駆動信号生成部６２６から出力されるＨＰユニット停止信号を受けた時には、ＨＰユニット４０の稼動を停止させるＨＰユニット停止制御を行う。すなわち、ＨＰユニット制御部６５は、ＨＰユニット停止制御において、室外機制御部５１へ信号を送り、圧縮機モータＭ４５及び室外ファンモータＭ４６への電力供給を停止させる。また、これとともに、ＨＰユニット制御部６５は、室外機制御部５１へ信号を送り、膨張弁４９を開かせる。これにより、ＨＰユニット４０は、稼動を停止する状態となる。なお、ＨＰユニット４０が稼動を停止している状態においてＨＰユニット停止信号を受けた時には、ＨＰユニット制御部６５は何もしない。
【０１１４】
（３−６）表示制御部６６
電源が投入されると、表示制御部６６は、まず記憶部６１から制御プログラムを取得する。次に、表示制御部６６は、制御プログラムに沿って、記憶部６１からユーザの指示、室温Ｔｉ及び設定温度Ｔｐ等を取得する。具体的に、表示制御部６６は、記憶部６１に冷房運転開始指示、暖房運転開始指示若しくは運転停止指示、室温Ｔｉ及び設定温度Ｔｐが格納されると、これをリアルタイムに取得する。
【０１１５】
表示制御部６６は、冷房運転開始指示若しくは暖房運転開始指示を取得した時には、冷房運転若しくは暖房運転で運転状態にあること、現在の室温Ｔｉ及び設定温度Ｔｐ等を示す表示データを表示部５５に送信する。これにより、表示部５５には、空調システム１０が冷房運転状態若しくは暖房運転状態にあること、及び現在の室温Ｔｉ及び設定温度Ｔｐ等をユーザに示す表示がなされる。また、表示制御部６６は、運転停止指示を取得した時には、表示を停止する信号を表示部５５に送信する。これにより、表示部５５では、表示が行われなくなる。
【０１１６】
（４）暖房運転時における切換制御部６２の処理の流れ
以下、図７を参照して、暖房運転時における切換制御部６２の処理の流れの一例について説明する。図７は、暖房運転時における切換制御部６２の処理の流れを示すフローチャートである。なお、以下は処理の一例であって、切換制御部６２は、これと異なる流れの処理を実行してもよい。本実施形態において、空調システム１０の電源が投入されて暖房運転開始指示が入力されると、切換制御部６２は、図７に示すような流れの処理を行う。
【０１１７】
ステップＳ１０１においては、取得部６２１が、記憶部６１から外気温Ｔｏを取得する。そして、取得部６２１は、取得した外気温Ｔｏを判定部６２３へ出力する。そして、ステップＳ１０２へ進む。
【０１１８】
ステップＳ１０２においては、判定部６２３が、取得部６２１から出力された外気温Ｔｏを受けて、外気温判定を行う。外気温判定の結果、判定がＮＯの場合（すなわち、外気温Ｔｏが設定値Ｐｖ１未満である場合）には、判定部６２３は、外気温低判定信号を熱源機選択部６２４に出力する。そして、ステップＳ１０３へ進む。一方、判定がＹＥＳの場合（すなわち、外気温Ｔｏが設定値Ｐｖ１以上である場合）には、判定部６２３は、外気温高判定信号を熱源機選択部６２４に出力する。そして、ステップＳ１０８へ進む。
【０１１９】
ステップＳ１０３においては、熱源機選択部６２４が、外気温低判定信号、ＨＰ容量大判定信号、第１コスト小判定信号、第２コスト大判定信号又は切換禁止信号を受けて、ＧＦユニット選択信号を取得部６２１及び駆動信号生成部６２６に出力する。そして、ステップＳ１０４へ進む。
【０１２０】
ステップＳ１０４においては、取得部６２１が、熱源機選択部６２４から出力されたＧＦユニット選択信号を受けて、記憶部６１から外気温Ｔｏ、室温Ｔｉ及び設定温度Ｔｐを取得する。そして、取得部６２１は、取得した外気温Ｔｏ、室温Ｔｉ及び設定温度Ｔｐを演算部６２２へ出力する。そして、ステップＳ１０５へ進む。
【０１２１】
ステップＳ１０５においては、演算部６２２が、取得部６２１から出力された外気温Ｔｏ、室温Ｔｉ及び設定温度Ｔｐを受けて熱負荷を算出し、駆動信号生成部６２６に出力する。そして、ステップＳ１０６へ進む。
【０１２２】
ステップＳ１０６においては、駆動信号生成部６２６が、熱源機選択部６２４から出力されたＧＦユニット選択信号と、演算部６２２から出力された熱負荷と、を受けてＧＦ容量設定信号を生成する。駆動信号生成部６２６は、生成したＧＦ容量設定信号を判定部６２３に出力する。そして、ステップＳ１０７へ進む。
【０１２３】
ステップＳ１０７においては、駆動信号生成部６２６が、ＧＦ容量設定信号及びＧＦユニット駆動信号をＧＦユニット制御部６４に出力する。また、これとともに、駆動信号生成部６２６は、ＨＰユニット停止信号をＨＰユニット制御部６５に出力する。これにより、ＨＰユニット４０ではなくＧＦユニット３０が、熱源機として稼動状態となるか、稼動状態を継続する。そして、ステップＳ１１３へ進む。
【０１２４】
ステップＳ１０８においては、熱源機選択部６２４が、外気温高判定信号と、ＧＦ容量小判定信号、第１コスト大判定信号、第２コスト小判定信号又は切換禁止信号と、を受けてＨＰユニット選択信号を取得部６２１及び駆動信号生成部６２６に出力する。そして、ステップＳ１０９へ進む。
【０１２５】
ステップＳ１０９においては、取得部６２１が、熱源機選択部６２４から出力されたＨＰユニット選択信号を受けて、記憶部６１から外気温Ｔｏ、室温Ｔｉ及び設定温度Ｔｐを取得する。そして、取得部６２１は、取得した外気温Ｔｏ、室温Ｔｉ及び設定温度Ｔｐを演算部６２２へ出力する。そして、ステップＳ１１０へ進む。
【０１２６】
ステップＳ１１０においては、演算部６２２が、取得部６２１から出力された外気温Ｔｏ、室温Ｔｉ及び設定温度Ｔｐを受けて熱負荷を算出して、駆動信号生成部６２６に出力する。そして、ステップＳ１１１へ進む。
【０１２７】
ステップＳ１１１においては、駆動信号生成部６２６が、熱源機選択部６２４から出力されたＨＰユニット選択信号と、演算部６２２から出力された熱負荷と、を受けてＨＰ容量設定信号を生成する。駆動信号生成部６２６は、生成したＨＰ容量設定信号を判定部６２３に出力する。そして、ステップＳ１１２へ進む。
【０１２８】
ステップＳ１１２においては、駆動信号生成部６２６が、ＨＰ容量設定信号及びＨＰユニット駆動信号をＨＰユニット制御部６５に出力する。また、これとともに、駆動信号生成部６２６は、ＧＦユニット停止信号をＧＦユニット制御部６４に出力する。これにより、ＧＦユニット３０ではなく、ＨＰユニット４０が、熱源機として稼動状態となるか、稼動状態を継続する。そして、ステップＳ１１９へ進む。
【０１２９】
ステップＳ１１３においては、切換判断部６２５が、計測時間Ｃｔが設定時間Ｓｔ以上であるか否かを判断する。そして、ＮＯと判断した場合（すなわち、計測時間Ｃｔが設定時間Ｓｔ未満である場合）には、切換判断部６２５は、切換禁止信号を熱源機選択部６２４に出力する。そして、ステップＳ１０３に戻る。一方、ＹＥＳと判断した場合（すなわち、計測時間Ｃｔが設定時間Ｓｔ以上である場合）、切換判断部６２５は、切換許容信号を取得部６２１に出力する。そして、ステップＳ１１４に進む。
【０１３０】
ステップＳ１１４においては、取得部６２１が、切換判断部６２５から出力された切換許容信号を受けて、記憶部６１から外気温Ｔｏを取得する。そして、取得部６２１は、取得した外気温Ｔｏを判定部６２３へ出力する。そして、ステップＳ１１５へ進む。
【０１３１】
ステップＳ１１５においては、外気温判定を行う。外気温判定の結果、外気温Ｔｏが設定値Ｐｖ１以上である場合（判定がＮＯの場合）には、判定部６２３は、外気温高判定信号を熱源機選択部６２４に出力する。そして、ステップＳ１０８へ戻る。一方、外気温Ｔｏが設定値Ｐｖ１未満である場合（判定がＹＥＳの場合）には、判定部６２３は、外気温低判定信号を熱源機選択部６２４に出力する。そして、ステップＳ１１６へ進む。
【０１３２】
ステップＳ１１６においては、判定部６２３が、駆動信号生成部６２６から出力されるＧＦ容量設定信号を受けて、ＧＦ容量判定を行う。ＧＦ容量判定の結果、判定がＮＯの場合（すなわち、所定期間Ｐ１あたりにおけるＧＦユニット３０が熱源機として稼動しているデューティ比の積算値Ｉｖ１が第２閾値ΔＴｈ２未満である場合）には、判定部６２３は、ＧＦ容量小判定信号を熱源機選択部６２４に出力する。そして、ステップＳ１０８に戻る。一方、ＧＦ容量判定の結果、判定がＹＥＳの場合（すなわち、所定期間Ｐ１あたりにおけるＧＦユニット３０が熱源機として稼動しているデューティ比の積算値Ｉｖ１が第２閾値ΔＴｈ２以上である場合）には、ステップＳ１１７へ進む。なお、判定部６２３において保持するＧＦ容量設定信号が一定数に達するまでは、ステップＳ１１６において、判定部６２３はＧＦ容量判定を行わずそのままステップＳ１１７へ進む。
【０１３３】
ステップＳ１１７においては、演算部６２２が、第１コストＧｃと、第２コストＨｃと、を算出して、判定部６２３に出力する。そして、ステップＳ１１８へ進む。
【０１３４】
ステップＳ１１８においては、判定部６２３が、演算部６２２から出力された第１コストＧｃ及び第２コストＨｃを受けて、省コスト判定を行う。省コスト判定において、ＮＯと判定した場合（すなわち、第１コストＧｃが第２コストＨｃよりも第１基準値Ｓｖ１を超える割合で大きくない場合）には、第１コスト小判定信号を熱源機選択部６２４に出力する。そして、ステップＳ１０３に戻る。一方、ＹＥＳと判定した場合（すなわち、第１コストＧｃが第２コストＨｃよりも第１基準値Ｓｖ１を超える割合で大きい場合）には、第１コスト大判定信号を熱源機選択部６２４に出力する。そして、ステップＳ１０８に戻る。
【０１３５】
ステップＳ１１９においては、切換判断部６２５が、計測時間Ｃｔが設定時間Ｓｔ以上であるか否かを判断する。そして、ＮＯと判断した場合（すなわち、計測時間Ｃｔが設定時間Ｓｔ未満である場合）には、切換判断部６２５は、切換禁止信号を熱源機選択部６２４に出力する。そして、ステップＳ１０８に戻る。一方、ＹＥＳと判断した場合（すなわち、計測時間Ｃｔが設定時間Ｓｔ以上である場合）、切換判断部６２５は、切換許容信号を取得部６２１に出力する。そして、ステップＳ１２０に進む。
【０１３６】
ステップＳ１２０においては、取得部６２１が、切換判断部６２５から出力された切換許容信号を受けて、記憶部６１から外気温Ｔｏを取得する。そして、取得部６２１は、取得した外気温Ｔｏを判定部６２３へ出力する。そして、ステップＳ１２１へ進む。
【０１３７】
ステップＳ１２１においては、ステップＳ１０２と同様の外気温判定が行われる。そして、判定がＮＯの場合には、判定部６２３は、外気温低判定信号を熱源機選択部６２４に出力する。そして、ステップＳ１０３に戻る。一方、判定がＹＥＳの場合には、判定部６２３は、外気温高判定信号を熱源機選択部６２４に出力する。そして、ステップＳ１２２へ進む。
【０１３８】
ステップＳ１２２においては、判定部６２３が、駆動信号生成部６２６から出力されるＨＰ容量設定信号を受けて、ＨＰ容量判定を行う。ＨＰ容量判定の結果、判定がＮＯの場合（すなわち、所定期間Ｐ２あたりにおける部分負荷率の平均値Ａｖ１が第３閾値ΔＴｈ３以上である場合）には、判定部６２３は、その旨を示すＨＰ容量大判定信号を熱源機選択部６２４に出力する。そして、ステップＳ１０３に戻る。一方、ＨＰ容量判定の結果、判定がＹＥＳの場合（すなわち、所定期間Ｐ２あたりにおける部分負荷率の平均値Ａｖ１が第３閾値ΔＴｈ３未満である場合）には、ステップＳ１２３へ進む。なお、判定部６２３において保持するＨＰ容量設定信号が一定数に達するまでは、ステップＳ１２２において、判定部６２３はＨＰ容量判定を行わずそのままステップＳ１２３へ進む。
【０１３９】
ステップＳ１２３においては、演算部６２２が、第１コストＧｃと、第２コストＨｃと、を算出して、判定部６２３に出力する。そして、ステップＳ１２４へ進む。
【０１４０】
ステップＳ１２４においては、判定部６２３が、演算部６２２から出力された第１コストＧｃ及び第２コストＨｃを受けて、省コスト判定を行う。省コスト判定において、ＮＯと判定した場合（すなわち、第２コストＨｃが第１コストＧｃよりも第２基準値Ｓｖ２を超える割合で大きい場合）には、第２コスト大判定信号を熱源機選択部６２４に出力する。そして、ステップＳ１０３に戻る。一方、ＹＥＳと判定した場合（すなわち、第２コストＨｃが第１コストＧｃよりも第２基準値Ｓｖ２を超える割合で大きくない場合）には、第２コスト小判定信号を熱源機選択部６２４に出力する。そして、ステップＳ１０８に戻る。
【０１４１】
（５）各部の動作状態について
以下、図８から図１０を参照して、空調システム１０の各部の動作状態の一例について説明する。図８、図９及び図１０は、暖房運転開始指示が入力された場合における各部の状態の変化の一例を示すタイミングチャートである。
【０１４２】
図８の期間Ａにおいては、空調システム１０は停止状態にある。すなわち、ファンユニット２０、ＧＦユニット３０及びＨＰユニット４０は、稼動を停止している。
【０１４３】
期間Ｂにおいては、暖房運転開始指示が入力されたことに応じて、ファンユニット２０が稼動する。また、外気温Ｔｏが設定値Ｐｖ１未満であることに応じて、ＧＦユニット３０が熱源機として稼動する。なお、これより、切換許容信号が切換判断部６２５によって出力されるまで（すなわち、３０分が経過するまで）は、熱源機の切換えが禁止される熱源機切換禁止期間とされる。ＨＰユニット４０は、稼動を停止したままである。
【０１４４】
期間Ｃにおいては、外気温Ｔｏが設定値Ｐｖ１以上となったことに応じて、ＧＦユニット３０は稼動を停止し、ＨＰユニット４０が熱源機として稼動する。ファンユニット２０は、稼動したままである。なお、これより、再び切換許容信号が切換判断部６２５によって出力されるまで、熱源機切換禁止期間とされる。
【０１４５】
期間Ｄにおいては、部分負荷率の平均値Ａｖ１がΔＴｈ３以上となったことに応じて、ＨＰユニット４０は稼動を停止し、ＧＦユニット３０が熱源機として稼動する。ファンユニット２０は、稼動したままである。なお、これより、再び切換許容信号が切換判断部６２５によって出力されるまで、熱源機切換禁止期間とされる。
【０１４６】
図９の期間Ｅにおいては、第１コストＧｃが第１基準値Ｓｖ１を超える割合で第２コストＨｃより高い状態となったことに応じて、ＧＦユニット３０は稼動を停止し、ＨＰユニット４０が熱源機として稼動する。ファンユニット２０は、稼動したままである。なお、これより、再び切換許容信号が切換判断部６２５によって出力されるまで、熱源機切換禁止期間とされる。
【０１４７】
期間Ｆにおいては、第２コストＨｃが第２基準値Ｓｖ２を超える割合で第１コストＧｃより高い状態となったことに応じて、ＨＰユニット４０は稼動を停止し、ＧＦユニット３０が熱源機として稼動する。ファンユニット２０は、稼動したままである。なお、これより、再び切換許容信号が切換判断部６２５によって出力されるまで、熱源機切換禁止期間とされる。
【０１４８】
期間Ｇにおいては、デューティ比の積算値Ｉｖ１がΔＴｈ２未満となったことに応じて、ＧＦユニット３０は稼動を停止し、ＨＰユニット４０が熱源機として稼動する。ファンユニット２０は、稼動したままである。なお、これより、再び切換許容信号が切換判断部６２５によって出力されるまで、熱源機切換禁止期間とされる。
【０１４９】
図１０の期間Ｈにおいては、外気温Ｔｏが設定値Ｐｖ１未満となったことに応じて、ＨＰユニット４０は稼動を停止し、ＧＦユニット３０が熱源機として稼動する。ファンユニット２０は、稼動したままである。なお、これより、再び切換許容信号が切換判断部６２５によって出力されるまで、熱源機切換禁止期間とされる。
【０１５０】
期間Ｉにおいては、運転停止指示が入力されたことに応じて、空調システム１０は停止状態となる。すなわち、ファンユニット２０、ＧＦユニット３０及びＨＰユニット４０は、稼動を停止する。
【０１５１】
（６）空調システム１０の機能
以下、空調システム１０の環境負荷抑制機能と、省コスト機能とについて順に説明する。
【０１５２】
（６−１）環境負荷抑制機能
空調システム１０では、暖房運転中、コントローラ６０によって外気温判定が行われる。これにより、外気温Ｔｏに応じて、ＧＦユニット３０及びＨＰユニット４０のうち環境負荷の低いほうが熱源機として選択されるようになっている。これにより、環境負荷が抑制されている。
【０１５３】
また、空調システム１０では、暖房運転中、コントローラ６０によってＧＦ容量判定が行われるように構成されている。ここで、ＧＦユニット３０が熱源機として稼動している場合において、所定期間Ｐ１あたりにおけるＧＦユニット３０が稼動しているデューティ比の積算値Ｉｖ１が第２閾値ΔＴｈ２を下回る状態にあるとコントローラ６０が判断した場合には、所定期間Ｐ１あたりにおけるＧＦユニット３０の発停の回数が、環境負荷を増加させる回数に相当する第１閾値ΔＴｈ１を超えると推定される。係る状態に陥った時には、環境負荷の増加が予測されるところ、空調システム１０では、稼動させる熱源機がＧＦユニット３０からＨＰユニット４０に切り換えられる。すなわち、所定期間Ｐ１あたりにおけるＧＦユニット３０の発停の回数が第１閾値ΔＴｈ１以上と推定される状態にあるとコントローラ６０によって判断されると、熱源機がＧＦユニット３０からＨＰユニット４０に切り換えられる。これにより、環境負荷が抑制されている。
【０１５４】
また、空調システム１０では、暖房運転中、コントローラ６０によってＨＰ容量判定が行われるように構成されている。ここで、暖房運転の際にＨＰユニット４０が熱源機として稼動している場合において、所定期間Ｐ２あたりにおける部分負荷率の平均値Ａｖ１が第３閾値ΔＴｈ３以上の状態にある時には、環境負荷の増加が予測される。空調システム１０では、係る状態に陥った時には、稼動する熱源機がＨＰユニット４０からＧＦユニット３０に切り換えられる。換言すると、空調システム１０は、ＨＰユニット４０が熱源機として稼動している場合において、所定時間あたりにおける部分負荷率が第３閾値ΔＴｈ３以上の状態にある時には、稼動させる熱源機をＨＰユニット４０からＧＦユニット３０に切り換えて、環境負荷を抑制している。
【０１５５】
なお、コントローラ６０は、所定期間Ｐ１において出力される各ＧＦ容量設定信号に含まれる運転容量のレベルの平均値に基づき、ＧＦ容量判定を行っている。また、コントローラ６０は、所定期間Ｐ２において出力される各ＨＰ容量設定信号に含まれる運転容量のレベルの平均値に基づき、ＨＰ容量判定を行っている。換言すると、コントローラ６０は、熱源機として稼動させる機器の運転容量を可変に調整する容量指令を生成し、当該容量指令において指定される運転容量のレベルが所定の数値範囲内にある状態が所定時間継続する場合には、熱源機をＧＦユニット３０及びＨＰユニット４０のうち一方から他方に切り換えている。
【０１５６】
また、空調システム１０では、暖房運転中、所定の熱源機切換禁止期間が設定されることにより、当該期間内においては、熱源機の切換えが行われないようになっている。具体的には、空調システム１０の暖房運転が開始されてから設定時間Ｓｔ（３０分）を経過するまでの間、及び熱源機の切換えが行われてから設定時間Ｓｔ（３０分）を経過するまでの間は、熱源機切換禁止期間とされている。これにより、短時間の間に熱源機の切換えが頻繁に行われることが抑制されており、環境負荷が増加しにくいように構成されている。また、短時間の間に熱源機の切換えが頻繁に行われると、快適性も損なわれることが予測されるところ、快適性についても低下しにくいようになっている。
【０１５７】
（６−２）省コスト機能
空調システム１０では、暖房運転中、コントローラ６０によって、ＧＦユニット３０を熱源機として稼動させた場合のコストである第１コストＧｃと、ＨＰユニット４０を熱源機として稼動させた場合のコストである第２コストＨｃと、が適宜算出され、両者を比較する省コスト判定が行われるように構成されている。
【０１５８】
具体的には、コントローラ６０は、ＧＦユニット３０が稼動している場合で環境負荷の増加が懸念されない際に、第１コストＧｃが第２コストＨｃよりも第１基準値Ｓｖ１を超える割合で高い時には、稼動させる熱源機をＨＰユニット４０に切り換えている。また、コントローラ６０は、ＨＰユニット４０が稼動している場合で環境負荷の増加が懸念されない際に、第２コストＨｃが第１コストＧｃよりも第２基準値Ｓｖ２を超える割合で高い時には、稼動させる熱源機をＧＦユニット３０に切り換えている。
【０１５９】
これにより、空調システム１０の運転中において、所定条件が満たされることで環境負荷の増加が懸念されない場合には、ＧＦユニット３０及びＨＰユニット４０のうち、コストを抑えられるほうが熱源機として選択される。よって、空調システム１０の運転に係るコストが抑制されやすいようになっている。
【０１６０】
なお、図７において、ステップＳ１１７及びＳ１１８は、ステップＳ１１３、Ｓ１１５及びＳ１１６が実行された後の処理である。また、ステップＳ１２３及びＳ１２４は、ステップＳ１１９、Ｓ１２１及びＳ１２２が実行された後の処理である。すなわち、省コスト機能は、環境負荷抑制機能がはたらいていることを前提として実現される。換言すると、空調システム１０では、省コスト機能よりも環境負荷抑制機能が優先されている。
【０１６１】
（７）特徴
（７−１）
上記実施形態では、コントローラ６０は、暖房運転の際、熱源機の運転容量を可変に調整する容量指令であるＧＦ容量設定信号又はＨＰ容量設定信号を生成し、容量指令において指定される運転容量のレベルが所定の数値範囲内にある状態が所定時間継続する場合には、熱源機をＧＦユニット３０及びＨＰユニット４０のうち一方から他方に切り換えている。すなわち、コントローラ６０によって熱源機を切り換える制御ロジックにおいて、容量指令に含まれる運転容量のレベルがパラメータとして採用され、当該パラメータに基づいて環境負荷の増加が予測される時には、熱源機がＧＦユニット３０及びＨＰユニット４０のうち一方から他方に切り換えられるように構成されている。これにより、暖房運転時においては、状況に応じて、ＧＦユニット３０及びＨＰユニット４０のうち環境負荷の増加しにくいほうが熱源機として稼動するようになっている。よって、環境負荷が抑制されている。
【０１６２】
（７−２）
上記実施形態では、コントローラ６０は、暖房運転の際、ＧＦユニット３０が熱源機として稼動している場合において、所定期間Ｐ１あたりにおけるＧＦユニット３０の発停の回数が第１閾値ΔＴｈ１以上と推定される状態にあるとコントローラ６０が判断した場合には、稼動させる熱源機をＨＰユニット４０に切り換えている。すなわち、ＧＦユニット３０が熱源機として稼動している場合において、所定時間あたりにおけるＧＦユニット３０の発停の回数が所定回数を超える時には、熱負荷処理能力の低下に伴って環境負荷の増加が予測される。しかし、上記実施形態では、係る状態となった時には、稼動する熱源機がＨＰユニット４０に切り換えられるように構成されている。よって、環境負荷が精度よく抑制されている。
【０１６３】
（７−３）
上記実施形態では、コントローラ６０は、暖房運転の際、ＧＦユニット３０が熱源機として稼動している場合において、所定期間Ｐ１あたりにおけるＧＦユニット３０が稼動しているデューティ比の積算値Ｉｖ１が第２閾値ΔＴｈ２未満の状態の時には、所定期間Ｐ１あたりにおけるＧＦユニット３０の発停の回数が第１閾値ΔＴｈ１以上と推定される状態にあると判断して、熱源機をＨＰユニット４０に切り換えている。よって、環境負荷が精度よく抑制されている。
【０１６４】
（７−４）
上記実施形態では、コントローラ６０は、暖房運転の際、ＨＰユニット４０が熱源機として稼動している場合において、所定期間Ｐ２あたりの部分負荷率の平均値Ａｖ１が第３閾値ΔＴｈ３以上の時には、稼動させる熱源機をＨＰユニット４０に切り換えている。すなわち、熱源機としてＨＰユニット４０が稼動している場合において、所定時間あたりにおける部分負荷率が所定の値以上の時には、熱負荷処理能力の低下に伴って環境負荷の増加が予測される。しかし、上記実施形態では、係る時には、稼動させる熱源機をＧＦユニット３０に切り換えている。よって、環境負荷が精度よく抑制されている。
【０１６５】
（７−５）
上記実施形態では、コントローラ６０は、暖房運転の際、熱源機としてＧＦユニット３０が稼動しており、かつ、環境負荷の増加が懸念されない場合において、第１コストＧｃが第２コストＨｃよりも第１基準値Ｓｖ１を超える割合で高い時には、稼動させる熱源機をＨＰユニット４０に切り換えている。また、コントローラ６０は、暖房運転の際、熱源機としてＨＰユニット４０が稼動しており、かつ、環境負荷の増加が懸念されない場合において、第２コストＨｃが第１コストＧｃよりも第２基準値Ｓｖ２を超える割合で高い時には、稼動させる熱源機をＧＦユニット３０に切り換えている。これにより、環境負荷の増加が懸念されない状況下においては、ＧＦユニット３０及びＨＰユニット４０のうちコストの低いほうが熱源機として稼動されるようになっている。よって、運転に係るコストが抑制されやすいようになっている。
【０１６６】
（７−６）
上記実施形態では、空調システム１０の暖房運転開始時（起動時）から設定時間Ｓｔ（３０分）を経過するまでの間、及び熱源機の切換えが行われてから設定時間Ｓｔ（３０分）を経過するまでの間は、稼動させる熱源機の切換えを禁止する熱源機切換禁止期間とされている。すなわち、熱源機の切換えが短時間の間に頻繁に行われると、環境負荷が増加するとともに快適性が低下することが想定される。しかし、上記実施形態では、熱源機切換禁止期間が設けられることで、空調システム１０の暖房運転開始後及び熱源機の切換え後、所定時間を経過するまでは、熱源機の切換えが抑制されるように構成されている。このため、熱源機の切換えが短時間の間に頻繁に行われにくい。よって、環境負荷が増加しにくく、また快適性が低下しにくいようになっている。
【０１６７】
（８）変形例
（８−１）変形例Ａ
上記実施形態では、空調システム１０は、暖房運転に加えて冷房運転も行えるように構成されたが、暖房運転のみを実行可能な空調システムとして構成されてもよい。係る場合、ＨＰユニット４０において四路切換弁ＦＶが省略されるとともに、冷房運転に係る制御が省略される。
【０１６８】
（８−２）変形例Ｂ
上記実施形態では、外気温センサ５０は、ケーブル（図示省略）を介して室外機制御部５１と接続されていたが、直接コントローラ６０と接続するようにしてもよい。係る場合、外気温センサ５０がＡ／Ｄ変換してディジタル信号をコントローラ６０に送信するか、コントローラ６０においてアナログ信号を受けてＡ／Ｄ変換を行う。
【０１６９】
（８−３）変形例Ｃ
上記実施形態では、コントローラ６０は、ケーブル６０１を介して、各部と接続されていたが、室外機制御部５１、第１電力供給部２１１、第２電力供給部３５２、ガスバルブ開閉部３６１及びプラグ用電力供給部３７２のうちのいずれか若しくは全てをコントローラ６０内に配設してもよい。
【０１７０】
（８−４）変形例Ｄ
上記実施形態では、コントローラ６０は、電装品ユニット５２に含まれていたが、これに限定されない。例えば、コントローラ６０は、電装品箱１４内に配設されてもよく、また、室外機４３内に配設されてもよい。また、コントローラ６０に含まれる記憶部６１、切換制御部６２、ファンユニット制御部６３、ＧＦユニット制御部６４、ＨＰユニット制御部６５及び表示制御部６６のいずれか又は全ては、ＬＡＮやＷＡＮなどのネットワークで接続された遠隔地などに配設されてもよい。また、切換制御部６２に含まれる取得部６２１、演算部６２２、判定部６２３、熱源機選択部６２４、切換判断部６２５及び駆動信号生成部６２６のいずれか又は全てについても、ＬＡＮやＷＡＮなどのネットワークで接続された遠隔地などに配設されてもよい。
【０１７１】
（８−５）変形例Ｅ
上記実施形態では、切換制御部６２、ファンユニット制御部６３、ＧＦユニット制御部６４、ＨＰユニット制御部６５及び表示制御部６６は、記憶部６１から制御プログラムを取得していた。しかし、これに限定されず、例えば、ファンユニット制御部６３、ＧＦユニット制御部６４、ＨＰユニット制御部６５及び表示制御部６６のそれぞれに記憶領域を持たせて当該記憶領域に制御プログラムを格納するようにしてもよい。
【０１７２】
（８−６）変形例Ｆ
上記実施形態では、コントローラ６０は、暖房運転の際、所定条件が満たされた時又は所定条件が満たされなくなった時には、熱源機として稼動させる機器を切り換える制御を行っていた（図７のステップＳ１１５、Ｓ１１６、Ｓ１１８、Ｓ１２１、Ｓ１２２及びＳ１２４参照）。しかし、これに限定されず、当該制御において所定の遅延時間を設けてもよい。例えば、コントローラ６０は、ＧＦユニット３０が熱源機として稼動している場合において、所定期間Ｐ１あたりにおけるＧＦユニット３０が稼動しているデューティ比の積算値Ｉｖ１が第２閾値ΔＴｈ２未満の状態となった時から所定時間経過後に熱源機として稼動させる機器を切り換えるようにしてもよい。また、コントローラ６０は、暖房運転の際、ＨＰユニット４０が熱源機として稼動している場合において、所定期間Ｐ２あたりの部分負荷率の平均値Ａｖ１が第３閾値ΔＴｈ３以上となった時から所定時間経過後に、熱源機として稼動させる機器を切り換えるようにしてもよい。これにより、確実に条件を満たす場合に熱源機の切換えを行うことが可能となる。なお、当該遅延時間は、例えば３０秒や１分に設定されるが、これに限定されず、設置環境に応じて適当な数値を設定されればよい。
【０１７３】
（８−７）変形例Ｇ
上記実施形態では、コントローラ６０は、暖房運転の際、外気温Ｔｏが設定値Ｐｖ１未満である時には、ＧＦユニット３０を熱源機として稼動させており、設定値Ｐｖ１は０（℃）に設定されている。しかし、これに限定されず、設定値Ｐｖ１は適宜変更可能である。すなわち、外気温Ｔｏが設定値Ｐｖ１を下回る場合にＨＰユニット４０を熱源機として稼動させるよりもＧＦユニット３０を熱源機として稼動させたほうが環境負荷が低い、という条件が満たされる限り、設定値Ｐｖ１はいかなる値であってもよく、例えば−５（℃）としてもよく、５（℃）としてもよい。
【０１７４】
（８−８）変形例Ｈ
上記実施形態では、コントローラ６０は、空調システム１０の暖房運転開始時及び暖房運転中において、外気温Ｔｏが設定値Ｐｖ１未満である時には、ＧＦユニット３０を熱源機として稼動させている。しかし、暖房運転中に外気温Ｔｏが設定値Ｐｖ１未満となった時にＧＦユニット３０を熱源機として稼動させる、という制御については、必ずしも必要ではなく省略可能である。係る場合、図７のフローチャートにおいて、ステップＳ１１５及びＳ１２１が省略される。
【０１７５】
（８−９）変形例Ｉ
上記実施形態では、コントローラ６０は、暖房運転の際、所定期間Ｐ１あたりにおけるＧＦユニット３０が稼動しているデューティ比の積算値Ｉｖ１が第２閾値ΔＴｈ２未満の状態にあると判断した場合には、所定期間Ｐ１あたりにおけるＧＦユニット３０の発停の回数が第１閾値ΔＴｈ１以上であると推定し、ＧＦユニット３０に代えてＨＰユニット４０を熱源機として稼動させる制御を実行していた。
【０１７６】
しかし、所定期間Ｐ１あたりにおけるＧＦユニット３０の発停の回数が第１閾値ΔＴｈ１以上であると推定する方法は、これに限定されず、適宜変更が可能である。例えば、ガスバルブ開閉部３６１から切換制御部６２に信号を送るようにし、また、判定部６２３にタイマー機能をもたせる。そして、ＧＦユニット３０が熱源機として稼動している場合において、判定部６２３が所定期間Ｐ１あたりにガスバルブ３６の開閉の回数を計測し、当該回数が第１閾値ΔＴｈ１以上であるか否かを判定する。そして、係る判定において、所定期間Ｐ１あたりにガスバルブ３６の開閉の回数が第１閾値ΔＴｈ１以上であると判定した時に、ＧＦユニット３０の発停の回数が第１閾値ΔＴｈ１以上であると推定し、ＧＦユニット３０に代えてＨＰユニット４０を熱源機として稼動させる制御を実行するようにしてもよい。
【０１７７】
なお、「ＧＦユニット３０の発停の回数が第１閾値ΔＴｈ１以上であると推定」する動作や処理は、熱源機の切換動作と共に具体的に行われていてもよいし、具体的な推定動作や処理は行わずにコントローラ６０が所定の判断をした場合に熱源機の切換動作が行われるようにしてもよい。
【０１７８】
（８−１０）変形例Ｊ
上記実施形態では、コントローラ６０は、暖房運転の際、ＨＰユニット４０が熱源機として稼動している場合において、所定期間Ｐ２あたりにおける部分負荷率の平均値Ａｖ１が第３閾値ΔＴｈ３以上の状態となった時には、環境負荷の増加が懸念される状態であると推定し、ＨＰユニット４０に代えてＧＦユニット３０を熱源機として稼動させる制御を実行していた。しかし、当該制御については、必ずしも必要ではなく省略可能である。係る場合、図７のフローチャートにおいてステップＳ１２２が省略される。
【０１７９】
（８−１１）変形例Ｋ
上記実施形態では、コントローラ６０は、暖房運転の際、第１コストＧｃ及び第２コストＨｃを適宜算出して両者を比較し、所定条件に応じて、ＧＦユニット３０及びＨＰユニット４０のうちコストが抑えられるほうを熱源機として稼動させる制御を実行していた。しかし、当該制御については、必ずしも必要ではなく省略可能である。係る場合、図７のフローチャートにおいてステップＳ１１７、Ｓ１１８、Ｓ１２３及びＳ１２４が省略される。
【０１８０】
（８−１２）変形例Ｌ
上記実施形態では、空調システム１０の暖房運転開始時（起動時）から設定時間Ｓｔ（３０分）を経過するまでの間、及び熱源機の切換えが行われてから設定時間Ｓｔ（３０分）を経過するまでの間は、稼動させる熱源機の切換えを禁止する熱源機切換禁止期間とされていた。しかし、熱源機切換禁止期間については、必ずしも必要ではなく省略可能である。係る場合、図７のフローチャートにおいてステップＳ１１３及びＳ１１９が省略される。
【０１８１】
（８−１３）変形例Ｍ
上記実施形態では、判定部６２３は、ＧＦ容量判定において、所定期間Ｐ１あたりにおけるＧＦユニット３０が熱源機として稼動しているデューティ比の積算値Ｉｖ１が第２閾値ΔＴｈ２以上か否かを判定していた。係るＧＦ容量判定において、所定期間Ｐ１は３０分として、設定数Ｐｎ１が３０個に設定されていた。また、第２閾値ΔＴｈ２は、デューティ比の積算値Ｉｖ１が当該第２閾値ΔＴｈ２未満であれば所定期間Ｐ１あたりにおけるＧＦユニット３０の発停の回数が第１閾値ΔＴｈ１である５回以上と推定される、という条件を満たす値として、３０パーセントに設定されていた。
【０１８２】
しかし、所定期間Ｐ１、設定数Ｐｎ１、第１閾値ΔＴｈ１及び第２閾値ΔＴｈ２は、これに限定されず、設置環境に応じて適宜変更が可能である。例えば、所定期間Ｐ１を２０分として設定数Ｐｎ１が設定されてもよい。あるいは、所定期間Ｐ１を６０分として設定数Ｐｎ１が設定されてもよい。また、第１閾値ΔＴｈ１は、３回に設定されてもよく、あるいは８回に設定されてもよい。また、第２閾値ΔＴｈ２は、２５パーセントに設定されてもよく、あるいは４０パーセントに設定されてもよい。
【０１８３】
（８−１４）変形例Ｎ
上記実施形態では、判定部６２３は、所定期間Ｐ２あたりにおける部分負荷率の平均値Ａｖ１が第３閾値ΔＴｈ３未満か否かを判定していた。このＨＰ容量判定において、所定期間Ｐ２は３０分として、設定数Ｐｎ２が３０個に設定されていた。また、第３閾値ΔＴｈ３は、９０パーセントに設定されていた。しかし、所定期間Ｐ２、設定数Ｐｎ２及び第３閾値ΔＴｈ３は、これに限定されず、設置環境に応じて適宜変更が可能である。例えば、所定期間Ｐ２を２０分として設定数Ｐｎ２が設定されてもよい。あるいは、所定期間Ｐ２を６０分として設定数Ｐｎ２が設定されてもよい。また、第３閾値ΔＴｈ３は、例えば８０パーセントに設定されてもよく、あるいは９５パーセントに設定されてもよい。
【０１８４】
（８−１５）変形例Ｏ
上記実施形態では、判定部６２３は、第１コストＧｃが第２コストＨｃよりも第１基準値Ｓｖ１を超える割合で大きいか否か、又は第２コストＨｃが第１コストＧｃよりも第２基準値Ｓｖ２を超える割合で大きいか否かを判定していた。当該省コスト判定において、第１基準値Ｓｖ１及び第２基準値Ｓｖ２は、ともに１．１に設定されていた。しかし、第１基準値Ｓｖ１及び第２基準値Ｓｖ２は、これに限定されず、設置環境に応じて適宜変更が可能である。例えば、第１基準値Ｓｖ１及び第２基準値Ｓｖ２は、１．０５に設定されてもよく、あるいは１．５に設定されてもよい。また、第１基準値Ｓｖ１及び第２基準値Ｓｖ２は、必ずしも同一の値に設定される必要はなく、異なる値に設定されてもよい。
【０１８５】
（８−１６）変形例Ｐ
上記実施形態では、切換判断部６２５は、所定時間Ｐｔ毎に、計測時間Ｃｔが設定時間Ｓｔ以上であるか否かを判断しており、当該判断における設定時間Ｓｔは３０分に設定され、所定時間Ｐｔは５分に設定されていた。しかし、設定時間Ｓｔ及び所定時間Ｐｔは、これに限定されず、設置環境に応じて適宜変更が可能である。例えば、設定時間Ｓｔは、２０分に設定されてもよく、あるいは１時間に設定されてもよい。また、所定時間Ｐｔは、３分に設定されてもよく、あるいは１０分に設定されてもよい。
【産業上の利用可能性】
【０１８６】
本発明は、ガスファーネスユニットとヒートポンプユニットとを備える空調システムに利用可能である。
【符号の説明】
【０１８７】
１０    空調システム
１２    吸気口
１３    排気口
２０    ファンユニット（送風機）
３０    ガスファーネスユニット（ＧＦユニット）
３１    熱交換部（加熱部）
３２    本体部
３３    給気ダクト
３４    排気ダクト
３５    ファン
３６    ガスバルブ
３７    燃焼部
４０    ヒートポンプユニット（ＨＰユニット）
４２    利用側熱交換器（放熱器）
５０    外気温センサ
５１    室外機制御部
５２    電装品ユニット
５３    室温センサ
６０    コントローラ
６１    記憶部
６２    切換制御部
６３    ファンユニット制御部
６４    ガスファーネスユニット制御部（ＧＦユニット制御部）
６５    ヒートポンプユニット制御部（ＨＰユニット制御部）
１００    住宅
１０１、１０２、１０３、１０４    部屋
１０５    地下室
２１１    第１電力供給部
３１１    燃焼ガスパイプ
３５１    第２ファンモータ
３５２    第２電力供給部
３６１    ガスバルブ開閉部
３７１    プラグ
３７２    プラグ用電力供給部
６０１    ケーブル
６２１    取得部
６２２    演算部
６２３    判定部
６２４    熱源機選択部
６２５    切換判断部
６２６    駆動信号生成部
ＡＦ１    空気流
Ａｖ１    部分負荷率の平均値
Ｃｔ    計測時間
Ｇｃ    第１コスト
ＧＰ    ガス管
Ｈｃ    第２コスト
Ｉｖ１    デューティ比の積算値
Ｍ２１    第１ファンモータ
Ｐｎ１、Ｐｎ２    設定数
Ｐｖ１    設定値
Ｓｔ    設定時間（第４期間、第５期間）
Ｓｖ１    第１基準値
Ｓｖ２    第２基準値
Ｔｉ    室内温度（室温）
Ｔｏ    外気温
Ｔｐ    設定温度
ΔＴｈ１    第１閾値
ΔＴｈ２    第２閾値
ΔＴｈ３    第３閾値
【先行技術文献】
【特許文献】
【０１８８】
【特許文献１】特開昭６４−５４１６０号公報
【図１】
2015145764.tif 000003
【図２】
2015145764.tif 000004
【図３】
2015145764.tif 000005
【図４】
2015145764.tif 000006
【図５】
2015145764.tif 000007
【図６】
2015145764.tif 000008
【図７】
2015145764.tif 000009
【図８】
2015145764.tif 000010
【図９】
2015145764.tif 000011
【図１０】
2015145764.tif 000012